(57)【要約】吸入可能蒸気又はエアロゾルを生成し送達するためのシステム、装置、及び方法がここに記載されている。幾つかの実施形態では、ここに記載されているシステム、装置、及び方法は、例えば従来の喫煙で使用するためのたばこ含有蒸気又はエアロゾルを生成し送達するのに使用され、又は例えば禁煙療法を送達するのに使用される。幾つかの実施形態では、ここに説明されているシステム、装置、及び方法は、薬剤を含有する蒸気又はエアロゾルを生成し送達するのに使用される。例えば幾つかの実施形態では、ここに記載されているシステム、装置、及び方法は、吸入可能薬剤を患者の肺へ送達するのに使用される。【選択図】図１Ａ
2019534768.tif 000002
【特許請求の範囲】
【請求項１】
開口部を有していて液体を収容しているカートリッジと、
前記開口部と連続していて前記カートリッジから前記液体を受け入れるように配置されている、前記カートリッジの外部のチャネルと、
温度弁であって、第１の形態では前記開口部を封止し第２の形態では前記開口部を開封し、したがって当該弁が前記開口部を開封すると前記液体は前記カートリッジから前記チャネルの中へ流れることができる、温度弁と、
複数の細孔を有していて前記チャネルと流体連通している熱伝導板であって、前記液体を前記チャネルから前記複数の細孔内に受け入れるように構成されている熱伝導板と、
前記温度弁及び前記熱伝導板へ熱を加えるように構成されている熱源と、
を備えている手持ち式吸入可能蒸気発生装置。
【請求項２】
前記カートリッジは、前記開口部が開封されたときに前記液体を前記開口部を通して前記チャネルの中へ前進させるエジェクタを収容している、請求項１に記載の装置。
【請求項３】
前記エジェクタは前記カートリッジ内を摩擦無く進む、請求項２に記載の装置。
【請求項４】
前記エジェクタ及び前記カートリッジはガラスで作られている、請求項３に記載の装置。
【請求項５】
前記カートリッジは前記装置から取り外し可能である、請求項１に記載の装置。
【請求項６】
前記カートリッジは前記開口部へ開いている袋を収容しており、前記液体は前記袋の中にある、請求項１に記載の装置。
【請求項７】
前記袋は、前記開口部が開封されたときに前記液体を前記開口部を通して前記チャネルの中へ前進させるように配置されている、請求項６に記載の装置。
【請求項８】
前記液体はニコチンを備えている、請求項１に記載の装置。
【請求項９】
前記チャネルは液体が毛細管作用に因り前記チャネルを通って前進するように構成されている、請求項１に記載の装置。
【請求項１０】
前記弁が前記熱源によって加熱されると、前記弁は前記第１の形態から前記第２の形態へ変化する、請求項１に記載の装置。
【請求項１１】
前記弁は、加熱されると形態を変化させる１つ又はそれ以上の材料を備えている、請求項１０に記載の装置。
【請求項１２】
前記弁は第１の金属層及び第２の金属層を備えており、前記第２の金属層は前記熱源の方を向いて配置されていて、前記第２の金属層は前記第１の金属層より高い熱膨張係数を有している、請求項１１に記載の装置。
【請求項１３】
前記弁は、前記第１の形態では前記開口部を封止するように位置決めされるロッドを備えており、前記ロッドは前記第２の形態では前記開口部から離れるように位置決めされ、それにより前記開口部を開封する、請求項１２に記載の装置。
【請求項１４】
前記チャネルは前記カートリッジ寄りの近位端と前記熱伝導体寄りの遠位端を有しており、前記チャネルは前記遠位端にて貯留部へと拡幅している、請求項１に記載の装置。
【請求項１５】
前記熱伝導体は前記貯留部から前記液体を受け入れるように配置されている、請求項１４に記載の装置。
【請求項１６】
前記熱伝導体は金属を備えている、請求項１５に記載の装置。
【請求項１７】
前記熱伝導体はチタンを備えている、請求項１６に記載の装置。
【請求項１８】
前記熱伝導体はセラミックを備えている、請求項１５に記載の装置。
【請求項１９】
前記熱源は光源を備えている、請求項１に記載の装置。
【請求項２０】
前記光源はレーザーを備えている、請求項１９に記載の装置。
【発明の詳細な説明】
【技術分野】
【０００１】
[0001]本特許出願は、２０１６年１０月１０日出願の米国非仮特許出願第１５／２８９，９０１号の継続出願であり、当該特許出願をここにそっくりそのまま援用する。
【背景技術】
【０００２】
[0002]手持ち式吸入可能蒸気又はエアロゾル発生装置は、電子タバコの様なタバコ送達装置や吸入可能薬剤送達装置を含む。
[0003]吸入可能蒸気又はエアロゾルを生成するための幾つかの従来装置は、大抵は液体の状態にある物質を、それが使用者の吸入できる吸入可能蒸気へ変換される温度まで加熱するように構成されている。
[0004]従来装置は、典型的にはバッテリパワー供給式であり、使用者が気化される物質の供給量を補給できるように交換可能又は補充可能な構成要素を含んでいることもある。
【先行技術文献】
【特許文献】
【０００３】
【特許文献１】米国非仮特許出願第１５／２８９，９０１号
【発明の概要】
【０００４】
[0005]吸入可能蒸気又はエアロゾルの生成のためのシステム、装置、及び方法がここに記載されている。ここに記載されている様に、吸入可能蒸気又はエアロゾルを生成するための装置は、幾つかの実施形態では、手持ち式装置を備えている。
[0006]ここに記載されているシステム、装置、及び方法は、従来の手持ち式吸入可能蒸気又はエアロゾル発生装置を多くの点で改善する。
【０００５】
生成される蒸気又はエアロゾルの汚染の防止
[0007]ここに記載されているシステム、装置、及び方法が従来の手持ち式吸入可能蒸気又はエアロゾル発生装置を如何に改善するかの一例は、従来装置が吸入可能蒸気又はエアロゾルと一体に混ざり合う有毒副産物を生じさせるのに対し、ここに記載されているシステム、装置、及び方法は、蒸気又はエアロゾルの有毒副産物による汚染を防止する、ということである。
【０００６】
[0008]例えばタバコ蒸気又はエアロゾル発生装置の様な従来の手持ち式蒸気又はエアロゾル発生装置は、典型的には、蒸気化又はエアロゾル化されるべき物質へ、コイル状の金属加熱要素がコイルを通る電流の通過によって加熱されるというジュール加熱システムを介して熱を加えるように構成されている。これらの従来装置では、コイルは、典型的には、物質へ熱を送達する効率が悪く、物質へ熱的に結合されることが多く、蒸気化又はエアロゾル化されるべき物質に比較的近接して配置されるのが典型的である。従来の蒸気又はエアロゾル発生装置でのジュール加熱に付きまとう加熱の不精密さは、蒸気化又はエアロゾル化されるべき物質の過熱を引き起こし、結果的に物質の崩壊副産物又は分解副産物の発生をもたらす。加えて、加熱されるべき物質への加熱コイルの近接さ及び従来装置に起こる加熱中の到達温度のばらつきは、金属コイルからの金属成分及び崩壊産物の、蒸気化又はエアロゾル化されるべき物質への移行を生じさせることになる。例えば、タバコ製品と共に使用される装置では、過熱に因り生じる崩壊産物には高レベルの毒性が付きまとう。
【０００７】
[0009]対照的に、ここに記載されているシステム、装置、及び方法は、蒸気化又はエアロゾル化されるべき物質の過熱を防ぐより精密な熱源を利用し、熱源を蒸気化又はエアロゾル化されるべき物質から分断して、熱源からの如何なる汚染物質も蒸気化又はエアロゾル化されるべき物質に到達できないようにしている。ここに記載されているシステム、装置、及び方法の幾つかの実施形態では、熱源は、例えばレーザーの様な、光エネルギー源を備えている。これらの実施形態では、蒸気化又はエアロゾル化されるべき物質は目標表面上に位置付けられていて、レーザーがビームを発生させ、当該ビームが目標表面へ進み、それにより蒸気化又はエアロゾル化されるべき物質を加熱し、蒸気又はエアロゾルを発生させる。ここに記載されているシステム、装置、及び方法では、レーザー（又は他の光エネルギー源）の形態をしている精密な熱源が設けられていて、且つ熱源が蒸気化又はエアロゾル化されるべき物質から分断されていることで、説明されている様に発生させる蒸気又はエアロゾルの汚染の全体的減少がもたらされる。
【０００８】
生成される粒子の大きさの制御
[0010]ここに記載されているシステム、装置、及び方法が従来の手持ち式吸入可能蒸気又はエアロゾル発生装置を如何に改善するかの別の例は、従来装置が吸入可能蒸気又はエアロゾルの粒子の大きさを変更するように構成されていないのに対して、ここに記載されているシステム、装置、及び方法は、吸入可能蒸気又はエアロゾルの粒子の大きさが修正され得るように構成されている、ということである。例えば吸入される蒸気又はエアロゾルの粒子の大きさは吸入される蒸気又はエアロゾルの質感及び口当たりに作用し、また粒子の大きさは蒸気又はエアロゾルが気道に沿ってどれほど遠くまで進む傾向があるかに影響するという点で、粒子の大きさ及び含量は使用者の体験に作用する。例えば、タバコ蒸気又はエアロゾル発生装置の様な従来の手持ち式蒸気又はエアロゾル発生装置は、典型的には、一定した大きさの蒸気又はエアロゾル粒子を生成し送達するように構成されている。対照的に、ここに記載されているシステム、装置、及び方法では、蒸気又はエアロゾルの粒子の大きさは、例えば使用者によって修正され得る。ここに記載されているシステム、装置、及び方法がタバコ含有蒸気又はエアロゾルを生成するのに使用される場合、送達される蒸気又はエアロゾルの粒子の大きさを修正することは、例えば使用にとって異なる効果を現出させる。例えば、タバコ含有蒸気又はエアロゾルのより小さい粒子を生成することは、紙巻きタバコ喫煙時の質感及び気道内沈積場所をより厳密にシミュレートする（より小さい粒子は気道の中へより深く進む傾向がある）。例えば、タバコ含有蒸気又はエアロゾルのより大きい粒子を生成することは、葉巻タバコ喫煙時の質感及び気道内沈積場所をより厳密にシミュレートする（より大きい粒子は気道の中へあまり奥まで進まない傾向がある）。
【０００９】
手持ち式吸入可能蒸気又はエアロゾル生成
[0011]手持ち式吸入可能蒸気又はエアロゾル発生装置がここに記載されており、当該装置は、開口部を有していて液体を収容しているカートリッジと；開口部と連続していてカートリッジから液体を受け入れるように配置されているカートリッジの外部のチャネルと；温度弁であって、第１の形態では開口部を封止し第２の形態では開口部を開封し、したがって弁が開口部を開封すると液体はカートリッジからチャネルの中へ流れるのを許容される、温度弁と；複数の細孔を有していてチャネルと流体連通している熱伝導板であって、チャネルから液体を複数の細孔内に受け入れるように構成されている熱伝導板と；温度弁及び熱伝導板へ熱を加えるように構成されている熱源と；を備えている。幾つかの実施形態では、カートリッジは、開口部が開いているときに液体を開口部を通してチャネルの中へ前進させるエジェクタを収容している。幾つかの実施形態では、エジェクタはカートリッジ内を摩擦無く進む。幾つかの実施形態では、エジェクタ及びカートリッジはガラスで作られている。幾つかの実施形態では、カートリッジは装置から取り外し可能である。幾つかの実施形態では、カートリッジは、開口部へ開いている袋を収容しており、液体は袋の中にある。幾つかの実施形態では、袋は、開口部が開いているときに液体を開口部を通してチャネルの中へ前進させるように配置されている。幾つかの実施形態では、カートリッジは使用者によって補充可能である。幾つかの実施形態では、カートリッジは意図的非補充式又は一回使用型である。幾つかの実施形態では、液体はニコチンを備えている。幾つかの実施形態では、チャネルは、液体が毛細管作用に因りチャネルを通って前進するように構成されている。幾つかの実施形態では、弁が熱源によって加熱されると、弁は第１の形態から第２の形態へ変化する。幾つかの実施形態では、弁は、加熱されると形態を変化させる１つ又はそれ以上の材料を備えている。幾つかの実施形態では、弁は第１の金属層及び第２の金属層を備えており、第２の金属層は熱源の方を向いて配置されていて、第２の金属層は第１の金属層より高い熱膨張係数を有している。幾つかの実施形態では、弁は、第１の形態では開口部を封鎖するように位置決めされるロッドを備えており、ロッドは第２の形態では開口部から離れるように位置決めされ、それにより開口部を開ける。幾つかの実施形態では、チャネルは、カートリッジ寄りの近位端及び熱伝導体寄りの遠位端を有しており、チャネルは遠位端にて貯留部へと拡幅している。幾つかの実施形態では、熱伝導体は貯留部から液体を受け入れるように配置されている。幾つかの実施形態では、熱伝導体は金属を備えている。幾つかの実施形態では、熱伝導体はチタンを備えている。幾つかの実施形態では、熱伝導体はセラミックを備えている。幾つかの実施形態では、熱伝導体は炭素繊維の様な炭素系である。幾つかの実施形態では、熱源は光源を備えている。幾つかの実施形態では、光源はレーザーを備えている。幾つかの実施形態では、装置は、楕円形又は放物面形又は複合放物面形の反射器を備えている。幾つかの実施形態では、装置は、フレネルレンズ、凹レンズ、又はそれらの組合せを備えている。
【００１０】
[0012]カートリッジ、温度弁、熱伝導板、熱源、及び、カートリッジと熱伝導板の間に配置されているチャネル、を備えている手持ち式装置を用いて吸入可能蒸気又はエアロゾルを発生させるための方法がここに記載されており、方法は、温度弁を熱源で加熱し、それにより温度弁を第１の形態から第２の形態へ変化させ、それによりカートリッジの開口部を開かせてチャネルの中へ開封する段階と；液体をカートリッジからチャネルの中へ前進させる段階と；熱伝導板で液体をチャネルから受け入れる段階と；熱伝導板を液体と共に熱源を使用して加熱し、それにより液体を加熱し、蒸気又はエアロゾルを発生させる段階と；を備えている。幾つかの実施形態では、方法は、熱源と熱伝導板の間に配置されている開口部を通して空気の流れを受け入れる段階を備えている。幾つかの実施形態では、方法は、空気と蒸気又はエアロゾルを混合する段階を備えている。幾つかの実施形態では、方法は、一体に混合される空気と蒸気又はエアロゾルを衝突壁の中へ方向決めし、それにより蒸気又はエアロゾルのより大きい粒子が使用者によって吸入されるのを防止する段階を備えている。幾つかの実施形態では、方法は、蒸気又はエアロゾル粒子の大きさを制御する段階を備えている。幾つかの実施形態では、蒸気又はエアロゾル粒子の大きさは、熱源によって液体へ加えられる熱の量を制御することによって制御される。幾つかの実施形態では、液体をカートリッジからチャネルの中へ前進させる段階は、液体がエジェクタと開口部の間にあるようにカートリッジ内に配置されているエジェクタを前進させる段階を備えている。幾つかの実施形態では、エジェクタはカートリッジ内で摩擦無く進む。幾つかの実施形態では、エジェクタ及びカートリッジはガラスで作られている。幾つかの実施形態では、方法は、カートリッジを装置から取り外す段階を備えている。幾つかの実施形態では、液体をカートリッジからチャネルの中へ前進させる段階は、液体が袋の中にあり袋が開口部へ開くようにカートリッジ内に配置されている袋を絞る段階を備えている。幾つかの実施形態では、袋はゴム弾性である。幾つかの実施形態では、液体はニコチンを備えている。幾つかの実施形態では、方法は、毛細管作用を使用して液体をチャネルを通して前進させる段階を備えている。幾つかの実施形態では、弁は加熱されると形態を変化させる１つ又はそれ以上の材料を備えている。幾つかの実施形態では、弁は、第１の金属層及び第２の金属層を備えており、第２の金属層は熱源の方を向いて配置されていて、第２の金属層は第１の金属層より高い熱膨張係数を有している。幾つかの実施形態では、弁は、第１の形態では開口部を封鎖するように位置決めされるロッドを備えており、ロッドは、第２の形態では開口部から離れるように位置決めされ、それにより開口部を開ける。幾つかの実施形態では、チャネルはカートリッジ寄りの近位端及び熱伝導体寄りの遠位端を有しており、チャネルは遠位端にて貯留部へと拡幅している。幾つかの実施形態では、熱伝導体は、貯留部から液体を受け入れるように配置されている。幾つかの実施形態では、熱伝導体は金属を備えている。幾つかの実施形態では、熱伝導体はチタンを備えている。幾つかの実施形態では、熱伝導体はセラミックを備えている。幾つかの実施形態では、熱伝導体は炭素系材料を備えている。幾つかの実施形態では、熱源は光源を備えている。幾つかの実施形態では、光源はレーザーを備えている。幾つかの実施形態では、方法は、楕円形の反射器でレーザーを反射する段階を備えている。幾つかの実施形態では、方法は、フレネルレンズ、凹レンズ、又はそれらの組合せでレーザーをコリメートする段階を備えている。
【００１１】
[0013]発明の新規性のある特徴は特許請求の範囲に詳細に示されている。本発明の特徴及び利点のより深い理解は、本発明の原理が利用される例示的な実施形態を示している以下の詳細な説明及び添付図面を参照することによって得られるだろう。
【図面の簡単な説明】
【００１２】
【図１Ａ】[0014]模擬喫煙装置を備える、吸入可能蒸気又はエアロゾルの生成のための手持ち式装置の或る例示としての実施形態の上面図を示している。
【図１Ｂ】[0014]図１Ａの実施形態の底面図を示している。
【図１Ｃ】[0014]図１Ａの実施形態の側面図を示している。
【図１Ｄ】[0014]図１Ａの実施形態の斜視図を示している。
【図２】[0015]手持ち式吸入可能蒸気又はエアロゾル生成装置の或る例示としての実施形態の分解図を示している。
【図３Ａ】[0016]手持ち式吸入可能蒸気生成装置の或る例示としての実施形態の部分分解図を示している。
【図３Ｂ】[0017]手持ち式吸入可能蒸気生成装置の或る例示としての実施形態の断面図を示しており、物質貯留部の一部分の拡大図を含んでいる。
【図４Ａ】[0018]液体貯留部の或る例示としての実施形態の前面断面図を示している。
【図４Ｂ】[0018]液体貯留部の例示としての実施形態の後面断面図を示している。
【図５】[0019]手持ち式吸入可能蒸気又はエアロゾル生成装置の或る例示としての実施形態の断面図を示している。
【図６】[0020]手持ち式吸入可能蒸気又はエアロゾル生成装置の或る例示としての実施形態の断面図を示している。
【図７】[0021]シャトルプラグを備える手持ち式吸入可能蒸気生成装置の或る例示としての実施形態を示している。
【図８】[0022]手持ち式吸入可能蒸気生成装置を通る蒸気流又はエアロゾル流の或る例示としての経路の説明図を示している。
【発明を実施するための形態】
【００１３】
[0023]吸入可能蒸気又はエアロゾルを生成し送達するためのシステム、装置、及び方法がここに記載されている。幾つかの実施形態では、ここに記載されているシステム、装置、及び方法は、例えば従来の喫煙で使用するためのタバコ又はタバコ誘導体、又はニコチン、又は上記の組合せを含有する蒸気又はエアロゾルを生成し送達するのに使用され、又は例えば禁煙療法を送達するのに使用される。幾つかの実施形態では、ここに記載されているシステム、装置、及び方法は、薬剤を備える蒸気又はエアロゾルを生成し送達するために使用される。例えば、幾つかの実施形態では、ここに記載されているシステム、装置、及び方法は、吸入可能薬剤を患者の肺へ送達するのに使用される。
【００１４】
[0024]ここに開示されている主題を詳細に説明する前に、理解しておきたいこととして、主題は、その適用が、以下の説明に述べられ又は図面に描かれている構築、実験、例示としてのデータの詳細事項に及び／又構成要素の配列に限定されない。ここに記載されている主題は他の変形型の余地があり、したがって、ここに記載されている変形型は、決して、記載の主題の範囲を限定するものと受け取られてはならない。更に理解しておきたいこととして、ここに用いられている語法及び用語遣いは説明のみを目的としており、決して、制限を課すものと考えられてはならない。
[0025]ここでの使用に際し、「気化又はエアロゾル化されるべき物質」は、気体、液体、固体、又はそれらの混合物のうちの何れか一つを備えており、更に、同種物質又は１つ又はそれ以上の物質の混合物を備えている。
【００１５】
手持ち式模擬喫煙装置
[0026]図１Ａ−図１Ｄは、模擬喫煙装置１０００を備える、吸入可能蒸気又はエアロゾルの生成のための手持ち式装置の或る例示としての実施形態の上面図、底面図、側面図、及び斜視図をそれぞれ示している。概して、模擬喫煙装置１０００は、例えば従来の紙巻タバコ（又は電子タバコ）又は従来の葉巻タバコの様な喫煙物品の大きさと形状に近似する大きさと形状である。
[0027]図１Ａに示されている様に、上面図で示されている装置１０００の近位端は、装置１０００の使用時に使用者の方に向けられる流出口１０１０を備えている。流出口は、模擬喫煙装置１０００によって生成され使用者の口及び気道に進入してゆく吸入可能蒸気又はエアロゾルのための出口として働く。図１Ａは、ここに記載されているシステム、装置、及び方法の幾つかの実施形態では装置１０００のカートリッジ（図示せず）を収容するように構成されているハウジング１００８を示している。図１Ｂは、ここに記載されているシステム、装置、及び方法の幾つかの実施形態では装置１０００の機能的構成要素（図示せず）を収容しているハウジング１００６を示している。
【００１６】
[0028]図１Ｃに示されている様に、模擬喫煙装置１０００は、装置１０００の使用時に使用者の方を向いている近位端１００２及び装置の使用時に使用者から見て外を向いている遠位端１００４を有している。ここに記載されているシステム、装置、及び方法の幾つかの実施形態では、模擬喫煙装置１０００（又は他の手持ち式吸入可能蒸気生成装置の実施形態）は、ハウジング１００８を備えるカートリッジ収容部分１０１２と、ハウジング１００６を備える主要モジュール収容部分１０１４と、を備えている。ここに記載されているシステム、装置、及び方法の幾つかの実施形態では、模擬喫煙装置１０００のカートリッジ収容部分１０１２と模擬喫煙装置１０００の主要モジュール収容部分１０１４は、それら２つの構成要素が使用者によって分離され例えば交換又は補充されることができるように、可逆的に結合している。
【００１７】
[0029]ここに記載されているシステム、装置、及び方法の幾つかの実施形態では、カートリッジ収容部分１０１２内のカートリッジは交換可能であるように構成されている。ここに記載されているシステム、装置、及び方法の幾つかの実施形態では、ハウジング１００８はその中にあるカートリッジと共に交換可能であり、ここに記載されているシステム、装置、及び方法の幾つかの実施形態では、ハウジング１００８はその中にあるカートリッジが交換されるか又は補充される間は使用者によって保持されるように構成されている。
[0030]ここに記載されているシステム、装置、及び方法の幾つかの実施形態では、模擬喫煙装置１０００のカートリッジ収容部分１０１２と主要モジュール収容部分１０１４は、使用者によって結合解除されるように構成されてはおらず、むしろ単一の一体化されたハウジングを形成するべく合体するように構成されている。
【００１８】
[0031]ここに記載されているシステム、装置、及び方法の幾つかの実施形態では、装置１０００の大きさ、形状、及び外観は、例えば、従来の紙巻タバコ、電子タバコ、又は葉巻タバコの様な従来の喫煙物品の大きさ、形状、及び外観に近似している。
[0032]図１Ｄは、この実施形態では開口部１０１０を取り囲んでいる面取り縁、を有する装置１０００の近位端１００２を示している。図１Ｄは、主要モジュールを収容している装置の部分１０１４と結合されている装置のカートリッジ収容部分１０１２を示している。
【００１９】
例示としての手持ち式吸入可能蒸気又はエアロゾル生成装置の構成要素
[0033]図２は、手持ち式吸入可能蒸気又はエアロゾル生成装置３０００の或る例示としての実施形態の分解図を示している。ここに記載されているシステム、装置、及び方法の幾つかの実施形態では、模擬喫煙装置３０００は、マウスピース２１１０、カートリッジ２１２０、プランジャばね２１３０、プランジャ２１４０、気化又はエアロゾル化されるべき物質２１５０、温度弁組立体２１６０、熱伝導板２１７０、貯留部ガスケット２１８０、放物面形集光器反射器２１９０、レーザーエミッタ２２００、レーザー反射器２２１０、レーザーハウジング２２２０、コンピュータ処理ユニット（ＣＰＵ）２２３０、バッテリ２２４０、主ハウジング２２５０、隔壁２２６０、及び内部ハウジング２２７０を備えている。理解しておくべきこととして、以下に解説されている一部の事例がそうである様に、ここに記載されているシステム、装置、及び方法の幾つかの実施形態では、例示としての手持ち式吸入可能蒸気又はエアロゾル生成装置２０００の以上に一覧記載されている構成要素の幾つかは、記載されている発明の主題から逸脱することなく省略又は追加されることもあり得る。
【００２０】
[0034]マウスピース２１１０は、ここに記載されているシステム、装置、及び方法の幾つかの実施形態では、ハウジング、開口部（図示せず）、及び中空内部を含んでいる。ここに記載されているシステム、装置、及び方法の幾つかの実施形態では、マウスピース２１１０は、生成される蒸気又はエアロゾルが通って使用者の口及び気道へ進んでゆく１つ又はそれ以上の通路を提供又は形成するように構成されている。幾つかの実施形態では、解説されている様に、マウスピース２１１０の中の通路は、衝突壁を提供することによって蒸気又はエアロゾルの流れから大粒子の汚染物質を除去するように構成されており、衝突壁は、蒸気又はエアロゾルの流れに、大粒子が衝突壁との衝突点を越えて更に進むのを防止しながらも小粒子の進行を許容する経路をたどるよう強いる。マウスピース２１１０は、ここに記載されているシステム、装置、及び方法の幾つかの実施形態では、カートリッジ２１２０を収容しているか又は取り囲んでいる。
【００２１】
[0035]カートリッジ２１２０は、気化か又はエアロゾル化されるべき物質２１５０を収容するように構成されている。ここに記載されているシステム、装置、及び方法の幾つかの実施形態では、カートリッジは、更に、気化又はエアロゾル化されるべき物質２１５０を、温度弁組立体２１６０内の１つ又はそれ以上のチャネルへ能動的に送達するように構成されている。ここに記載されているシステム、装置、及び方法の幾つかの実施形態では、カートリッジ２１２０は更にプランジャ２１４０を収容しており、ここに記載されているシステム、装置、及び方法の幾つかの実施形態では、カートリッジ２１２０はプランジャばね２１３０を収容している。ここに記載されているシステム、装置、及び方法の幾つかの実施形態では、プランジャ２１４０は、装置２０００のマウスピース２１１０が使用者の口の方へ向き付けられたときにプランジャ２１４０が使用者に対し気化又はエアロゾル化されるべき物質２１５０に比べて近位に位置付けられるように（即ち、プランジャが気化又はエアロゾル化されるべき物質よりも装置の近位端により近くなるように）してカートリッジ２１２０の中に配置されている。これらの実施形態では、プランジャ２１４０は、したがって、気化又はエアロゾル化されるべき物質２１５０を使用者の位置に対して遠位方向にカートリッジから外へ押し出すように配置されている。但し、カートリッジ２１２０内の構成要素の多様な構成及び向きもまた、ここに記載されているシステム、装置、及び方法と共に使用するのに適しているものと理解されたい。例えば、ここに記載されているシステム、装置、及び方法の幾つかの実施形態では、マウスピース２１１０が使用者の口の方へ向き付けられているとき、プランジャは使用者に対し気化又はエアロゾル化されるべき物質の位置に比べて遠位に位置付けられている。ここに記載されているシステム、装置、及び方法の幾つかの実施形態では、例えば、カートリッジはマウスピース２１１０の中に配置されているのではなく、代わりに例えば装置２０００の主要モジュール部分内に配置されている。
【００２２】
[0036]ここに記載されているシステム、装置、及び方法の幾つかの実施形態では、プランジャ２１４０は、カートリッジ２１２０の中では、プランジャ２１４０が気化又はエアロゾル化されるべき物質２１６０に当接するように配置されており、更にはプランジャ２１４０は、装置２０００のマウスピース２１１０が使用者の口の方へ向き付けられているとき、気化又はエアロゾル化されるべき物質２１５０がカートリッジ２１２０から出て進んでゆく際にプランジャ２１４０が使用者に対して遠位方向に前進するように構成されている。ここに記載されているシステム、装置、及び方法の幾つかの実施形態では、プランジャ２１４０はカートリッジ２１２０の中でプランジャばね２１３０によって進められる。ここに記載されているシステム、装置、及び方法の幾つかの実施形態では、プランジャばね２１３０は、プランジャばね２１３０が力をプランジャ２１４０へ伝達し、それによりプランジャ２１４０を前進させ、気化又はエアロゾル化されるべき物質２１５０を温度弁組立体２１６０の中の１つ又はそれ以上のチャネルの中へ押し出させるように、プランジャ２１４０と作動的に連絡している。
【００２３】
[0037]ここに記載されているシステム、装置、及び方法の幾つかの実施形態では、プランジャばね２１３０は省略されており、プランジャ２１４０の外面とカートリッジ２１２０の内面の一方又はそれ以上が、カートリッジ２１２０の中でのプランジャ２１４０の摩擦無し運動を生じさせる材料を備えている。例えば、ここに記載されているシステム、装置、及び方法の幾つかの実施形態では、プランジャ２１４０は、ガラスで作られた外面を有し、カートリッジ２１２０はガラスで作られた内面を有している。２つのガラス面を有するこれらの実施形態の幾つかでは、プランジャ２１４０がカートリッジ２１２０のガラスの内面に対して摩擦無く動くように、液体の薄層がプランジャ２１４０のガラス面とカートリッジ２１２０のガラス内面の間に配置されている。２つのガラス面を有するこれらの実施形態の幾つかでは、カートリッジ２１２０は、プランジャばね２１３０を含んでいない。２つのガラス面を有するこれらの実施形態の幾つかでは、プランジャ２１３０とカートリッジ２１２０の間の流体の薄層は、気化又はエアロゾル化されるべき物質である。カートリッジ２１２０のこれらの実施形態の幾つかでは、プランジャ２１４０はシャトルプラグを備えており、シャトルプラグは幾つかの実施形態では中空の空気充満内部を有するピストン形状の本体を備えている。
【００２４】
[0038]ここに記載されているシステム、装置、及び方法の幾つかの実施形態では、使用者がマウスピース２１１０に係合し蒸気を引いて吸引力を作り出すとプランジャ２１４０は気化又はエアロゾル化されるべき物質２１５０に対して前進させられ、つまり吸引力がカートリッジ２１２０の開口部を通してプランジャ２１４０へ伝達され、プランジャ２１４０を気化又はエアロゾル化されるべき物質２１５０に対して前進させ、それにより気化又はエアロゾル化されるべき物質２１５０をカートリッジ２１２０から外へ押し出しカートリッジ２１２０の開口部（図示せず）を通して温度弁組立体２１６０の中の１つ又はそれ以上のチャネル（図示せず）の中へ入れるわけである。
[0039]ここに記載されているシステム、装置、及び方法の幾つかの実施形態では、カートリッジ２１２０は、プランジャばね２１３０及びプランジャ２１４０を省略していて、気化又はエアロゾル化されるべき物質２１５０を１つ又はそれ以上のチャネルから外へ前進させる袋（図示せず）又はバルーン（図示せず）を備えている。これらの実施形態では、気化又はエアロゾル化されるべき物質２１５０は袋又はバルーンの中に配置されていて、袋又はバルーンが気化又はエアロゾル化されるべき物質２１５０を圧縮するか又は当該物質に押し付けて進められると、気化又はエアロゾル化されるべき物質２１５０が開口部を通して進められカートリッジ２１２０から外に出て温度弁組立体２１６０内の１つ又はそれ以上のチャネル（図示せず）の中へ入るようになっている。
【００２５】
[0040]ここに記載されているシステム、装置、及び方法の幾つかの実施形態では、カートリッジ２１２０は、プランジャばね２１３０及びプランジャ２１４０を省略していて、気化又はエアロゾル化されるべき物質２１５０の貯留部を備えている。ここに記載されているシステム、装置、及び方法の幾つかでは、気化又はエアロゾル化されるべき物質２１５０の貯留部を収容しているカートリッジ２１２０は、大気圧に比べて加圧されている。ここに記載されているシステム、装置、及び方法の幾つかでは、気化又はエアロゾル化されるべき物質２１５０の貯留部を収容しているカートリッジ２１２０は、使用者がマウスピースから空気、蒸気、及び／又はエアロゾルの流れを引くことによってカートリッジ２１５０へ吸引力を加えた際にカートリッジ２１２０への空気の流入を提供する空気透過性膜によって本質的に大気圧に等しい圧力に維持される。
[0041]温度弁組立体２１６０は、ここに記載されているシステム、装置、及び方法の幾つかの実施形態では、１つ又はそれ以上のチャネル（図示せず）及び温度弁（図示せず）を備えている。１つ又はそれ以上のチャネルは、ここに記載されているシステム、装置、及び方法の幾つかの実施形態では、カートリッジ２１２０の開口部と連続していて、１つ又はそれ以上のチャネルがカートリッジ２１２０から気化又はエアロゾル化されるべき物質２１５０を受け入れるように配置されている。ここに記載されているシステム、装置、及び方法の幾つかの実施形態では、１つ又はそれ以上のチャネルは、気化又はエアロゾル化されるべき液体物質２１５０を毛細管作用によりチャネルの長さに沿って前進させるように構成されている。ここに記載されているシステム、装置、及び方法の幾つかの実施形態では、チャネルの１つ又はそれ以上は、その長さの一部分が拡幅して気化又はエアロゾル化されるべき物質２１５０の貯留部を形成している。幾つかの実施形態では、１つ又はそれ以上のチャネルの拡幅部分は熱伝導板２１７０に当接している。
【００２６】
[0042]ここに記載されているシステム、装置、及び方法の幾つかの実施形態では、温度弁は、加熱されたときに温度弁が１つ又はそれ以上のチャネルの中へ開口するカートリッジ２１２０の開口部を開封するように、温度弁組立体２１６０の中に配置されている弁である。これらの実施形態では、温度弁は、加熱されると第１の形態から第２の形態へ変化するように構成されている。ここに、温度弁の第１の形態では、例えばロッドの様な温度弁の構成要素がカートリッジ２１２０の開口部を封鎖するように位置決めされ、温度弁の第２の形態では、ロッドは開口部から離れさせられ、それにより開口部を開き、気化又はエアロゾル化されるべき物質２１５０が１つ又はそれ以上のチャネルの中へ進められるのを許容する。
【００２７】
[0043]ここに記載されているシステム、装置、及び方法の幾つかの実施形態では、温度弁の第１の形態から温度弁の第２の形態への変化は、それぞれが互いに異なる熱膨張係数を有する２つの材料を温度弁へ組み入れることによって実現される。例えば、ここに記載されているシステム、装置、及び方法の幾つかの実施形態では、温度弁は、それぞれが互いとは異なる熱膨張係数を有する２つの異なる金属で構成されている二金属部分を備えている。これらの実施形態では、第１の熱膨張係数を有する第１の金属は第１の層を備え、第２の熱膨張係数を有する第２の金属は第２の層を備えている。これらの実施形態では、より高い熱膨張係数を有する金属（又は他の材料）の層は、相対的に低い熱膨張係数を有する層より熱源に近接するように熱源の方を向いて配置されている。したがって、より高い熱膨張係数を有する層が加熱されると、それはより低い熱膨張係数を有する層から離れて外方へ膨張する傾向があるので、重層部分全体が加熱源に向かって外方に弧を描く傾向を呈しそれにより温度弁の形態を変化させる。これらの実施形態では、温度弁の第１の層又は温度弁の一部分が加熱されると、加熱された区分は熱源に向かって外方に弧を描き、温度弁の形態を変化させる。これらの実施形態では、温度弁が加熱されていることに応えて形態を変化させるとき温度弁は温度弁組立体２１６０の中で動き、それによりカートリッジ２１２０の開口部を封鎖している温度弁の構成要素を開口部から離れさせ、それにより開口部を開封する。ここに記載されているシステム、装置、及び方法の幾つかの実施形態では、熱源の方を向いて配置されている温度弁部分の第１の層は銅を備え、鉄を備える温度弁部分の第２の層は熱源から見て外に向いて配置されている。ここに記載されているシステム、装置、及び方法の幾つかの実施形態では、二金属部分の表面は、ＩＲ吸収コーティングで被覆されている。ＩＲ吸収コーティングは、ここに記載されているシステム、装置、及び方法の幾つかの実施形態では、色が黒であり、可能な限り理想的な黒体に近い振る舞いをする。これらの実施形態では、ＩＲ加熱源からの入射光からの光子は、コーティング中の原子によって吸収され、するとコーティング中の原子が振動して温まる。熱伝導性バリアの役目を果たしながら、コーティングによって吸収されたエネルギーは次いで二重層部分の表面へ伝わり、上述の様に温度弁の二重層部分に形態を変化させるよう仕向ける。
【００２８】
[0044]熱伝導板２１７０は、ここに記載されているシステム、装置、及び方法の幾つかの実施形態では、気化又はエアロゾル化されるべき物質２１５０を、温度弁組立体２１６０内の１つ又はそれ以上のチャネルから受け入れるように配置されている。ここに記載されているシステム、装置、及び方法の幾つかの実施形態では、弁組立体２１６０内の１つ又はそれ以上のチャネルは、熱伝導板２１７０と接合する直前で、貯留部を形成するように直径が拡幅している。ここに記載されているシステム、装置、及び方法の幾つかの実施形態では、熱伝導板２１７０は、気化又はエアロゾル化されるべき物質を自身の細孔内に受け入れるように配置されている多孔質材料を備えている。例えば、ここに記載されているシステム、装置、及び方法の幾つかの実施形態では、気化されるべき物質２１６０はニコチン含有液体を備えており、当該液体は、カートリッジ２１２０から説明されている温度弁組立体２１６０内の１つ又はそれ以上のチャネルの中へ進められ、毛細管作用により１つ又はそれ以上のチャネルを通して進められ、熱伝導板の細孔の中へ受け入れられる。ここに記載されているシステム、装置、及び方法の幾つかの実施形態では、気化又はエアロゾル化されるべき物質は、熱伝導板２１７０の細孔を通過して、熱源に面して配置されている熱伝導板２１７０の表面に到達する。ここに記載されているシステム、装置、及び方法の幾つかの実施形態では、熱源に面している熱伝導板２１７０の表面は陥凹している区域を備えていて、エアロゾル化又は気化されるべき物質２１５０が表面に到達すると物質２１５０は陥凹区域のうちの１つ又はそれ以上に進入し内包されることになる。ここに記載されているシステム、装置、及び方法の幾つかの実施形態では、温度弁組立体２１６０の温度弁と同じく、熱伝導板２１７０の表面は、ＩＲ加熱源で加熱する段階を捗らせるためにＩＲ吸収コーティングで被覆されている。ここに記載されているシステム、装置、及び方法の幾つかの実施形態では、熱伝導板２１７０での使用に適する多孔質材料はチタン金属である。ここに記載されているシステム、装置、及び方法の幾つかの実施形態では、熱伝導板２１７０での使用に適する多孔質材料はセラミックである。ここに記載されているシステム、装置、及び方法の幾つかの実施形態では、セラミックは多孔質ジルコニアで構成されている。
【００２９】
[0045]貯留部ガスケット２１８０は、気化又はエアロゾル化されるべき物質２１５０が熱伝導板２１７０の周りに漏れないように、むしろそれどころか１つ又はそれ以上のチャネルの端の貯留部から熱伝導板２１７０の多孔質材料の細孔の中へ進むよう方向決めされるように配置されている。気化又はエアロゾル化されるべき物質２１５０を内包している熱伝導板２１７０へ熱が加えられると、熱伝導板２１７０全体が温まり、それにより、その中（即ち、それの細孔の中及びそれの表面の１つ又はそれ以上の陥凹の中）の気化又はエアロゾル化されるべき物質２１５０を温める。ここに記載されているシステム、装置、及び方法の幾つかの実施形態では、熱伝導板２１７０の表面上に位置付けられた気化又はエアロゾル化されるべき物質２１５０は、熱伝導板２１７０の細孔の中の物質２１５０より速く温まり、その結果、熱伝導板２１７０の表面上の物質２１５０は熱伝導板２１７０の細孔内の物質より速く気化又はエアロゾル化される。概して、ここに記載されているシステム、装置、及び方法の幾つかの実施形態では、熱伝導板２１７０は熱を全体に行き渡らせるように構成されているので、気化又はエアロゾル化されるべき物質２１５０は熱伝導板２１７０の表面と接触していても又はそれの細孔の何れかの中にあっても、熱伝導板２１７０によって適切な温度へ加熱されたときに気化又はエアロゾル化されることになる。
【００３０】
[0046]温度弁組立体２１６０と熱伝導板２１７０は、装置２０００内で互いの近傍に配置されていて、熱源によって最適に加熱されるように位置付けられている。典型的には、殆どの実施形態では、温度弁組立体２１６０及び熱伝導板２１７０は装置２０００のカートリッジ収容部分の中にある。
[0047]ここに記載されているシステム、装置、及び方法の幾つかの実施形態では、主要モジュールは、装置２０００の主ハウジング２２５０内に収容されていて、放物面形集光器反射器２１９０、レーザーエミッタ２２００、レーザー反射器２２１０、レーザーハウジング２２２０、コンピュータ処理ユニット（ＣＰＵ）２２３０、バッテリ２２４０、隔壁２２６０、及び内部ハウジング２２７０を備えている。
[0048]ここに記載されているシステム、装置、及び方法の幾つかの実施形態では、熱源は、装置２０００の少なくとも温度弁及び熱伝導板２１７０へ熱を提供する。ここに記載されているシステム、装置、及び方法の幾つかの実施形態では、熱源はレーザーエミッタ２２００を備えている。ここに記載されているシステム、装置、及び方法の幾つかの実施形態では、熱源はＩＲレーザーエミッタを備えている。ここに記載されているシステム、装置、及び方法の幾つかの実施形態では、熱源はＬＥＤ光源を備えている。ここに記載されているシステム、装置、及び方法の幾つかの実施形態では、熱源は、対流加熱組立体又はマイクロ波加熱組立体を備えている。
【００３１】
[0049]レーザーエミッタ２２００は、幾つかの実施形態では、レーザーハウジング２２２０の中にあり、レーザーエミッタ２２００から放射される光エネルギーの集束、方向決め、及びコリメートのうちの１つ又はそれ以上を行う反射器及びレンズを含む組立体を含んでいる。幾つかの実施形態では、レーザー反射器２２１０は、レーザーエミッタ２２００の近傍内に配置されていて、放射されるレーザーを温度弁組立体２１６０及び熱伝導板２１７０へ方向決めするように構成されている。ここに記載されているシステム、装置、及び方法の幾つかの実施形態では、放物面形集光器反射器２１９０は、レーザーエミッタ２２００と熱伝導板２２７０の間に配置されていて、レーザーエミッタ２２００からの放射された光エネルギーを集束させるように構成されている。ここに記載されているシステム、装置、及び方法の幾つかの実施形態では、円筒形のフレネルレンズ及び凹レンズ（図示せず）が、レーザーエミッタ２２００と温度弁組立体２１６０及び熱伝導板２１７０の間に配置されている。凹レンズは、レーザーエミッタ２２００によって放射される光エネルギーを発散させるように構成されており、２つのレンズのうち温度弁組立体２１６０及び熱伝導板２１７０により近く位置付けられている円筒形のフレネルレンズは、レーザーエミッタ２２００によって放射される光エネルギーをコリメートするように構成されている。フレネルレンズは、他のレンズ型式に比べると動作させるのに必要となる材料が少ないので、このシステムにとって理想的である。ここに記載されているシステム、装置、及び方法の幾つかの実施形態では、目標であるＩＲ吸収部分を囲っていて何がしかの失われる放射エネルギーを向け直すように構成されている金の楕円形反射器（図示せず）も設けられることになるだろう。
【００３２】
[0050]ここに記載されているシステム、装置、及び方法の幾つかの実施形態では、例えば、レーザーエミッタ２２００から放射される光エネルギーの様な、熱源から放射されるエネルギーの波長は、気化又はエアロゾル化されるべき物質２１５０の最適吸光度に整合される。幾つかの実施形態では、放射されるエネルギーの波長は、例えばＣＰＵ２２３０を使ってレーザーエミッタ２２００の波長を修正させることによって調節可能である。気化又はエアロゾル化されるべき物質２１５０の最適吸光度波長は、例えば標準吸光度曲線によって求められる。
[0051]ここに記載されているシステム、装置、及び方法の幾つかでは、装置２０００は複数のエミッタを備え、各エミッタは異なる波長を有するエネルギーを放射するように構成されている。例えば、気化又はエアロゾル化されるべき物質２１５０が薬剤と付形剤の混合物を備えていてそれぞれが異なる最適吸光度波長を有しているという実施形態では、第１のエミッタは薬剤によって最適に吸収される波長のエネルギーを放射するように設定又は調節され、第２のエミッタは付形剤によって最適に吸収される波長のエネルギーを放射するように設定又は調節される。
【００３３】
[0052]ここに記載されているシステム、装置、及び方法の幾つかの実施形態では、装置２０００は、更に、ＣＰＵ２２３０、バッテリ２２４０、及び主要モジュールの他の構成要素の少なくとも一部、を収納している内部ハウジング２２７０を含んでいる。幾つかの実施形態では、隔壁２２６０が、主要モジュールをカートリッジ２１２０、温度弁組立体２１６０、及び熱伝導板２１７０と結合するように構成されている。システム、装置、及び方法の幾つかの実施形態では、内部ハウジングは、装置２０００のハウジング側のポートと連続するように配置されている開口部を備えている。これらの実施形態では、装置２０００の外部からの空気の流れは、装置のハウジングのポートを通って装置２０００に進入し、次いで内部ハウジング２２７０の壁の開口部を通って進行して装置の内部に達し、装置２０００によって生成される蒸気か又はエアロゾルと混ざり合う。これらの実施形態では、隔壁２２６０は、内部ハウジング２２７０の壁の開口部が塞がれないようにして内部ハウジングと結合するように構成されている。ここに記載されているシステム、装置、及び方法の幾つかの実施形態では、隔壁は、カートリッジ２１２０、温度弁組立体２１６０、及び熱伝導板２１７０のうちの１つ又はそれ以上、又はそれらの一部分を受け入れるように構成されている結合器又は開口部を備えている。
【００３４】
[0053]バッテリ２２４０は、パワー源を装置２０００の加熱源、ＣＰＵ、及び何れかの他のパワー供給される構成要素へ提供するように構成されている。ここに記載されているシステム、装置、及び方法の幾つかの実施形態では、バッテリは再充電式バッテリである。ここに記載されているシステム、装置、及び方法の幾つかの実施形態では、バッテリは、リチウムイオンバッテリ又は再充電式リチウムイオンバッテリである。ここに記載されているシステム、装置、及び方法の幾つかの実施形態では、バッテリは、リチウムマンガン酸化物バッテリ、リチウムマンガンコバルト酸化物バッテリ、リチウムリン酸鉄バッテリ、リチウムニッケルコバルトアルミニウム酸化物バッテリ、又はチタン酸リチウムバッテリである。
[0054]ＣＰＵ２２３０は、ここに記載されているシステム、装置、及び方法の幾つかの実施形態では、レーザーエミッタ２２００の機能を制御及び監視するソフトウェアを含んでいる。
【００３５】
[0055]システムは、幾つかの実施形態では、１つ又はそれ以上の遠隔プロセッサと通信するように構成されているＣＰＵ２２３０を備えている。これらのシステムの実施形態では、ＣＰＵ２２３０は、遠隔プロセッサからのコマンドを受信するように、そして性能及び／又は使用量データを遠隔プロセッサへ提供するように構成されている。気化又はエアロゾル化されるべき物質２１５０が薬剤を備えている実施形態では、システムは、遠隔プロセッサがコマンドをＣＰＵ２２３０へ提供して、例えばＣＰＵ２２３０に気化又はエアロゾル化されるべき物質２１５０へ熱が加えられる持続時間を修正させることによって、又は例えばＣＰＵ２２３０に気化又はエアロゾル化されるべき物質２１５０へ加えられる熱の温度を修正させることによって、生成される蒸気又はエアロゾルの一回服用量を調節するように構成されている。
[0056]例えばレーザーエミッタ２２００及びＣＰＵ２２３０の使用による精密加熱は、加えられる熱の量及び熱が加えられる持続時間の両方の観点から気化又はエアロゾル化されるべき物質２１５０の精密温度制御を提供する。典型的には、相対的に高い温度及び／又は長い持続時間の加熱は、より小さい蒸気又はエアロゾル粒子を生成し、相対的に低い温度及び／又は短い持続時間の加熱は、より小さい蒸気又はエアロゾル粒子を生成するので、生成される蒸気又はエアロゾルの粒子の大きさは、ＣＰＵ２２３０との協働によるレーザーエミッタ２２００によって精密に制御される。
【００３６】
物質貯留部カートリッジの実施形態
[0057]図３Ａは、手持ち式吸入可能蒸気生成装置３０００の或る例示としての実施形態の部分分解図を示している。ここに記載されているシステム、装置、及び方法の幾つかの実施形態では、図３Ａに示されている装置３０００は、物質貯留部３１００、マウスピース３１１０、カートリッジ３１２０、温度弁組立体３１６０、バッテリ３２４０、主ハウジング３２５０、隔壁３２６０、内部ハウジング３２７０、液体貯留部マニホールド３２８０、及び空気透過性膜３２９０を備えている。図３Ｂは、手持ち式吸入可能蒸気生成装置３０００の或る例示としての実施形態の断面図を示しており、物質貯留部３１００の一部分の拡大図を含んでいる。ここに記載されているシステム、装置、及び方法の幾つかの実施形態では、図３Ｂに示されている装置３０００は、物質貯留部３１００、マウスピース３１１０、カートリッジ３１２０、気化又はエアロゾル化されるべき物質３１５０、温度弁組立体３１６０、熱伝導板３１７０、貯留部ガスケット３１８０、放物面形集光器反射器３１９０、レーザーエミッタ３２００、レーザー反射器３２１０、レーザーハウジング３２２０、コンピュータ処理ユニット（ＣＰＵ）３２３０、バッテリ３２４０、主ハウジング３２５０、隔壁３２６０、内部ハウジング３２７０、液体貯留部マニホールド３２８０、及び空気透過性膜３２９０を備えている。
【００３７】
[0058]マウスピース３１１０は、ここに記載されているシステム、装置、及び方法の幾つかの実施形態では、ハウジング、開口部（図示せず）、及び中空内部を含んでいる。ここに記載されているシステム、装置、及び方法の幾つかの実施形態では、マウスピース３１１０は、生成される蒸気又はエアロゾルが通って使用者の口及び気道へ進んでゆく１つ又はそれ以上の通路を提供又は形成するように構成されている。幾つかの実施形態では、解説されている様に、マウスピース３１１０の中の通路は、衝突壁を提供することによって蒸気又はエアロゾルの流れから大粒子の汚染物質を除去するように構成されており、衝突壁は、蒸気又はエアロゾルの流れに、大粒子が衝突壁との衝突点を越えて更に進むのを防止しながらも小粒子の進行を許容する経路をたどるよう強いる。マウスピース３１１０は、ここに記載されているシステム、装置、及び方法の幾つかの実施形態では、カートリッジ３１２０を収容しているか又は取り囲んでいる。
【００３８】
[0059]ここに記載されているシステム、装置、及び方法の幾つかの実施形態では、カートリッジ３１２０は、プランジャばね３１３０及びプランジャ３１４０を省略していて、気化又はエアロゾル化されるべき物質３１５０の貯留部を備えている。ここに記載されているシステム、装置、及び方法の幾つかでは、気化又はエアロゾル化されるべき物質３１５０の貯留部を収容しているカートリッジ３１２０は、大気圧に比べて加圧されている。ここに記載されているシステム、装置、及び方法の幾つかでは、気化又はエアロゾル化されるべき物質３１５０の貯留部を収容しているカートリッジ３１２０は、使用者がマウスピースから空気、蒸気、及び／又はエアロゾルの流れを引くことによってカートリッジ３１５０へ吸引力を加えた際にカートリッジ３１２０への空気の流入を提供する空気透過性膜によって本質的に大気圧に等しい圧力に維持される。
【００３９】
[0060]図３Ａ及び図３Ｂに示されている様に、ここに記載されているシステム、装置、及び方法の幾つかの実施形態では、カートリッジ３１２０は、気化又はエアロゾル化されるべき物質３１５０を収容している物質貯留部３１００を備えている。物質貯留部３１００は、気化か又はエアロゾル化されるべき物質３１５０を収容するように、及び気化又はエアロゾル化されるべき物質３１５０を温度弁組立体３１６０内の１つ又はそれ以上のチャネルへ送達するように構成されている。ここに記載されているシステム、装置、及び方法の幾つかの実施形態では、液体貯留部３１２０の開口部が開かれたときに、気化又はエアロゾル化されるべき物質３１５０が貯留部の内部と液体貯留部３１２０の外部の大気圧の間の圧力差に因り進められるように、液体貯留部３１２０は大気圧に比べて加圧されている。ここに記載されているシステム、装置、及び方法の幾つかの実施形態では、液体貯留部３１２０は、気化又はエアロゾル化されるべき物質３１５０が液体貯留部３１２０から外へ進み出ることで液体貯留部３１２０の中の気化又はエアロゾル化されるべき物質３１５０の量が減少してゆく際に、液体貯留部３１２０内の加圧環境を維持するように構成されている弾性圧力容器３３００を貯留部内に含んでいる。ここに記載されているシステム、装置、及び方法の幾つかの実施形態では、液体貯留部３１２０は、大気圧と略等しい内部圧力を有していて、貯留部マニホールド３２８０内に配置されている空気透過性膜３２９０を含んでいる。これらの実施形態では、空気透過性膜３２９０が、液体貯留部と連通していて、液体貯留部３１２０への空気の流入を許容し、それにより、液体物質が外へ前進し液体貯留部から液体物質と共に空気を押し出す際に液体貯留部３１２０の中に大気圧を維持する。これらの実施形態では、液体貯留部の中に大気圧を維持することによって、空気透過性膜３１９０は、液体貯留部３１２０から流出する気化又はエアロゾル化されるべき液体物質３１５０の連続的な流れの維持を可能にさせる。
【００４０】
[0061]温度弁組立体３１６０は、ここに記載されているシステム、装置、及び方法の幾つかの実施形態では、１つ又はそれ以上のチャネル（図示せず）及び温度弁（図示せず）を備えている。１つ又はそれ以上のチャネルは、ここに記載されているシステム、装置、及び方法の幾つかの実施形態では、カートリッジ３１２０の開口部と連続していて、１つ又はそれ以上のチャネルがカートリッジ３１２０から気化又はエアロゾル化されるべき物質を受け入れるように配置されている。ここに記載されているシステム、装置、及び方法の幾つかの実施形態では、１つ又はそれ以上のチャネルは、気化又はエアロゾル化されるべき液体物質３１５０を毛細管作用によりチャネルの長さに沿って前進させるように構成されている。ここに記載されているシステム、装置、及び方法の幾つかの実施形態では、チャネルの１つ又はそれ以上は、その長さの一部分が拡幅して気化又はエアロゾル化されるべき物質３１５０の貯留部を形成している。幾つかの実施形態では、１つ又はそれ以上のチャネルの拡幅部分は熱伝導板３１７０に当接している。
[0062]ここに記載されているシステム、装置、及び方法の幾つかの実施形態では、温度弁は、加熱されたときに温度弁が１つ又はそれ以上のチャネルの中へ開口するカートリッジ３１２０の開口部を開封するように、温度弁組立体３１６０の中に配置されている弁である。これらの実施形態では、温度弁は、加熱されると第１の形態から第２の形態へ変化するように構成されている。ここに、温度弁の第１の形態では、例えばロッドの様な温度弁の構成要素がカートリッジ３１２０の開口部を封鎖するように位置決めされ、温度弁の第２の形態では、ロッドは開口部から離れさせられ、それにより開口部を開き、気化又はエアロゾル化されるべき物質３１５０が１つ又はそれ以上のチャネルの中へ進められるのを許容する。
【００４１】
[0063]ここに記載されているシステム、装置、及び方法の幾つかの実施形態では、温度弁の第１の形態から温度弁の第２の形態への変化は、それぞれが互いに異なる熱膨張係数を有する２つの材料を温度弁へ組み入れることによって実現される。例えば、ここに記載されているシステム、装置、及び方法の幾つかの実施形態では、温度弁は、それぞれが互いとは異なる熱膨張係数を有する２つの異なる金属で構成されている二金属部分を備えている。これらの実施形態では、第１の熱膨張係数を有する第１の金属は第１の層を備え、第２の熱膨張係数を有する第２の金属は第２の層を備えている。これらの実施形態では、より高い熱膨張係数を有する金属（又は他の材料）の層は、相対的に低い熱膨張係数を有する層より熱源に近接するように熱源の方を向いて配置されている。したがって、より高い熱膨張係数を有する層が加熱されると、それはより低い熱膨張係数を有する層から離れて外方へ膨張する傾向があるので、重層部分全体が加熱源に向かって外方に弧を描く傾向を呈しそれにより温度弁の形態を変化させる。これらの実施形態では、温度弁の第１の層又は温度弁の一部分が加熱されると、加熱された区分は熱源に向かって外方に弧を描き、温度弁の形態を変化させる。これらの実施形態では、温度弁が加熱されていることに応えて形態を変化させるとき温度弁は温度弁組立体３１６０の中で動き、それによりカートリッジ２１２０の開口部を封鎖している温度弁の構成要素を開口部から離れさせ、それにより開口部を開封する。ここに記載されているシステム、装置、及び方法の幾つかの実施形態では、熱源の方を向いて配置されている温度弁部分の第１の層は銅を備え、鉄を備える温度弁部分の第２の層は熱源から見て外に向いて配置されている。ここに記載されているシステム、装置、及び方法の幾つかの実施形態では、二金属部分の表面は、ＩＲ吸収コーティングで被覆されている。ＩＲ吸収コーティングは、ここに記載されているシステム、装置、及び方法の幾つかの実施形態では、色が黒であり、可能な限り理想的な黒体に近い振る舞いをする。これらの実施形態では、ＩＲ加熱源からの入射光からの光子は、コーティング中の原子によって吸収され、するとコーティング中の原子が振動して温まる。熱伝導性バリアの役目を果たしながら、コーティングによって吸収されたエネルギーは次いで二重層部分の表面へ伝わり、上述の様に温度弁の二重層部分に形態を変化させるよう仕向ける。
【００４２】
[0064]熱伝導板３１７０は、ここに記載されているシステム、装置、及び方法の幾つかの実施形態では、気化又はエアロゾル化されるべき物質３１５０を、温度弁組立体３１６０内の１つ又はそれ以上のチャネルから受け入れるように配置されている。ここに記載されているシステム、装置、及び方法の幾つかの実施形態では、弁組立体３１６０内の１つ又はそれ以上のチャネルは、熱伝導板３１７０と接合する直前で、貯留部を形成するように直径が拡幅している。ここに記載されているシステム、装置、及び方法の幾つかの実施形態では、熱伝導板３１７０は、気化又はエアロゾル化されるべき物質を自身の細孔内に受け入れるように配置されている多孔質材料を備えている。例えば、ここに記載されているシステム、装置、及び方法の幾つかの実施形態では、気化されるべき物質３１６０はニコチン含有液体を備えており、当該液体は、カートリッジ３１３０から説明されている温度弁組立体３１６０内の１つ又はそれ以上のチャネルの中へ進められ、毛細管作用により１つ又はそれ以上のチャネルを通して進められ、熱伝導板の細孔の中へ受け入れられる。ここに記載されているシステム、装置、及び方法の幾つかの実施形態では、気化又はエアロゾル化されるべき物質は、熱伝導板３１７０の細孔を通過して、熱源に面して配置されている熱伝導板３１７０の表面に到達する。ここに記載されているシステム、装置、及び方法の幾つかの実施形態では、熱源に面している熱伝導板３１７０の表面は陥凹している区域を備えていて、エアロゾル化又は気化されるべき物質３１５０が表面に到達すると物質３１５０は陥凹区域のうちの１つ又はそれ以上に進入し内包されることになる。ここに記載されているシステム、装置、及び方法の幾つかの実施形態では、温度弁組立体３１６０の温度弁と同じく、熱伝導板３１７０の表面は、ＩＲ加熱源で加熱する段階を捗らせるためにＩＲ吸収コーティングで被覆されている。ここに記載されているシステム、装置、及び方法の幾つかの実施形態では、熱伝導板３１７０での使用に適する多孔質材料はチタン金属である。ここに記載されているシステム、装置、及び方法の幾つかの実施形態では、熱伝導板３１７０での使用に適する多孔質材料はセラミックである。ここに記載されているシステム、装置、及び方法の幾つかの実施形態では、セラミックは多孔質ジルコニアで構成されている。
【００４３】
[0065]貯留部ガスケット３１８０は、気化又はエアロゾル化されるべき物質３１５０が熱伝導板３１７０の周りに漏れないように、むしろそれどころか１つ又はそれ以上のチャネルの端の貯留部から熱伝導板３１７０の多孔質材料の細孔の中へ進むよう方向決めされるように配置されている。気化又はエアロゾル化されるべき物質３１５０を内包している熱伝導板３１７０へ熱が加えられると、熱伝導板３１７０全体が温まり、それにより、その中（即ち、それの細孔の中及びそれの表面の１つ又はそれ以上の陥凹の中）の気化又はエアロゾル化されるべき物質３１５０を温める。ここに記載されているシステム、装置、及び方法の幾つかの実施形態では、熱伝導板３１７０の表面上に位置付けられた気化又はエアロゾル化されるべき物質３１５０は、熱伝導板３１７０の細孔の中の物質３１５０より速く温まり、その結果、熱伝導板３１７０の表面上の物質３１５０は熱伝導板３１７０の細孔内の物質より速く気化又はエアロゾル化される。概して、ここに記載されているシステム、装置、及び方法の幾つかの実施形態では、熱伝導板３１７０は熱を全体に行き渡らせるように構成されているので、気化又はエアロゾル化されるべき物質３１５０は熱伝導板３１７０の表面と接触していても又はそれの細孔の何れかの中にあっても、熱伝導板３１７０によって適切な温度へ加熱されたときに気化又はエアロゾル化されることになる。
【００４４】
[0066]温度弁組立体３１６０と熱伝導板３１７０は、装置３０００内で互いの近傍に配置されていて、熱源によって最適に加熱されるように位置付けられている。典型的には、殆どの実施形態では、温度弁組立３１６０及び熱伝導板３１７０は装置３０００のカートリッジ収容部分の中にある。
[0067]ここに記載されているシステム、装置、及び方法の幾つかの実施形態では、主要モジュールは、装置３０００の主ハウジング３２５０内に収容されていて、放物面形集光器反射器３１９０、レーザーエミッタ３２００、レーザー反射器３２１０、レーザーハウジング３２２０、コンピュータ処理ユニット（ＣＰＵ）３２３０、バッテリ３２４０、隔壁３２６０、及び内部ハウジング３２７０を備えている。
[0068]ここに記載されているシステム、装置、及び方法の幾つかの実施形態では、熱源は、装置３０００の少なくとも温度弁及び熱伝導板３１７０へ熱を提供する。ここに記載されているシステム、装置、及び方法の幾つかの実施形態では、熱源はレーザーエミッタ３２００を備えている。ここに記載されているシステム、装置、及び方法の幾つかの実施形態では、熱源はＩＲレーザーエミッタを備えている。ここに記載されているシステム、装置、及び方法の幾つかの実施形態では、熱源はＬＥＤ光源を備えている。ここに記載されているシステム、装置、及び方法の幾つかの実施形態では、熱源は、対流加熱組立体又はマイクロ波加熱組立体を備えている。
【００４５】
[0069]レーザーエミッタ３２００は、幾つかの実施形態では、レーザーハウジング２２２０の中にあり、レーザーエミッタ３２００から放射される光エネルギーの集束、方向決め、及びコリメートのうちの１つ又はそれ以上を行う反射器及びレンズを含む組立体を含んでいる。幾つかの実施形態では、レーザー反射器２２１０は、レーザーエミッタ３２００の近傍内に配置されていて、放射されるレーザーを温度弁組立体３１６０及び熱伝導板３１７０へ方向決めするように構成されている。ここに記載されているシステム、装置、及び方法の幾つかの実施形態では、放物面形集光器反射器３１９０は、レーザーエミッタ３２００と熱伝導板３２７０の間に配置されていて、レーザーエミッタ３２００からの放射された光エネルギーを集束させるように構成されている。ここに記載されているシステム、装置、及び方法の幾つかの実施形態では、円筒形のフレネルレンズ及び凹レンズ（図示せず）が、レーザーエミッタ３２００と温度弁組立体３１６０及び熱伝導板３１７０の間に配置されている。凹レンズは、レーザーエミッタ３２００によって放射される光エネルギーを発散させるように構成されており、２つのレンズのうち温度弁組立体３１６０及び熱伝導板３１７０により近く位置付けられている円筒形のフレネルレンズは、レーザーエミッタ３２００によって放射される光エネルギーをコリメートするように構成されている。フレネルレンズは、他のレンズ型式に比べると動作させるのに必要となる材料が少ないので、このシステムにとって理想的である。ここに記載されているシステム、装置、及び方法の幾つかの実施形態では、目標であるＩＲ吸収部分を囲っていて何がしかの失われる放射エネルギーを向け直すように構成されている金の楕円形反射器（図示せず）も設けられることになるだろう。
【００４６】
[0070]ここに記載されているシステム、装置、及び方法の幾つかの実施形態では、例えば、レーザーエミッタ３２００から放射される光エネルギーの様な、熱源から放射されるエネルギーの波長は、気化又はエアロゾル化されるべき物質３１５０の最適吸光度に整合される。幾つかの実施形態では、放射されるエネルギーの波長は、例えばＣＰＵ３２３０を使ってレーザーエミッタ３２００の波長を修正させることによって調節可能である。気化又はエアロゾル化されるべき物質３１５０の最適吸光度波長は、例えば標準吸光度曲線によって求められる。
[0071]ここに記載されているシステム、装置、及び方法の幾つかでは、装置３０００は複数のエミッタを備え、各エミッタは異なる波長を有するエネルギーを放射するように構成されている。例えば、気化又はエアロゾル化されるべき物質３１５０が薬剤と付形剤の混合物を備えていてそれぞれが異なる最適吸光度波長を有しているという実施形態では、第１のエミッタは薬剤によって最適に吸収される波長のエネルギーを放射するように設定又は調節され、第２のエミッタは付形剤によって最適に吸収される波長のエネルギーを放射するように設定又は調節される。
【００４７】
[0072]ここに記載されているシステム、装置、及び方法の幾つかの実施形態では、装置３０００は、更に、ＣＰＵ３２３０、バッテリ３２４０、及び主要モジュールの他の構成要素の少なくとも一部、を収納している内部ハウジング３２７０を含んでいる。幾つかの実施形態では、隔壁２２６０が、主要モジュールをカートリッジ２１２０、温度弁組立体３１６０、及び熱伝導板３１７０と結合するように構成されている。システム、装置、及び方法の幾つかの実施形態では、内部ハウジングは、装置３０００のハウジング側のポートと連続するように配置されている開口部を備えている。これらの実施形態では、装置３０００の外部からの空気の流れは、装置のハウジングのポートを通って装置３０００に進入し、次いで内部ハウジング３２７０の壁の開口部を通って進行して装置の内部に達し、装置３０００によって生成される蒸気か又はエアロゾルと混ざり合う。これらの実施形態では、隔壁２２６０は、内部ハウジング３２７０の壁の開口部が塞がれないようにして内部ハウジングと結合するように構成されている。ここに記載されているシステム、装置、及び方法の幾つかの実施形態では、隔壁は、カートリッジ２１２０、温度弁組立体３１６０、及び熱伝導板３１７０のうちの１つ又はそれ以上、又はそれらの一部分を受け入れるように構成されている結合器又は開口部を備えている。
【００４８】
[0073]バッテリ３２４０は、パワー源を装置３０００の加熱源、ＣＰＵ、及び何れかの他のパワー供給される構成要素へ提供するように構成されている。ここに記載されているシステム、装置、及び方法の幾つかの実施形態では、バッテリは再充電式バッテリである。ここに記載されているシステム、装置、及び方法の幾つかの実施形態では、バッテリは、リチウムイオンバッテリ又は再充電式リチウムイオンバッテリである。ここに記載されているシステム、装置、及び方法の幾つかの実施形態では、バッテリは、リチウムマンガン酸化物バッテリ、リチウムマンガンコバルト酸化物バッテリ、リチウムリン酸鉄バッテリ、リチウムニッケルコバルトアルミニウム酸化物バッテリ、又はチタン酸リチウムバッテリである。
[0074]ＣＰＵ３２３０は、ここに記載されているシステム、装置、及び方法の幾つかの実施形態では、レーザーエミッタ３２００の機能を制御及び監視するソフトウェアを含んでいる。
【００４９】
[0075]システムは、幾つかの実施形態では、１つ又はそれ以上の遠隔プロセッサと通信するように構成されているＣＰＵ３２３０を備えている。これらのシステムの実施形態では、ＣＰＵ３２３０は、遠隔プロセッサからのコマンドを受信するように、そして性能及び／又は使用量データを遠隔プロセッサへ提供するように構成されている。気化又はエアロゾル化されるべき物質２１５０が薬剤を備えている実施形態では、システムは、遠隔プロセッサがコマンドをＣＰＵ３２３０へ提供して、例えばＣＰＵ３２３０に気化又はエアロゾル化されるべき物質２１５０へ熱が加えられる持続時間を修正させることによって、又は例えばＣＰＵ３２３０に気化又はエアロゾル化されるべき物質２１５０へ加えられる熱の温度を修正させることによって、生成される蒸気又はエアロゾルの一回服用量を調節するように構成されている。
[0076]例えばレーザーエミッタ３２００及びＣＰＵ３２３０の使用による精密加熱は、加えられる熱の量及び熱が加えられる持続時間の両方の観点から気化又はエアロゾル化されるべき物質２１５０の精密温度制御を提供する。典型的には、相対的に高い温度及び／又は長い持続時間の加熱は、より小さい蒸気又はエアロゾル粒子を生成し、相対的に低い温度及び／又は短い持続時間の加熱は、より小さい蒸気又はエアロゾル粒子を生成するので、生成される蒸気又はエアロゾルの粒子の大きさは、ＣＰＵ３２３０との協働によるレーザーエミッタ３２００によって精密に制御される。
【００５０】
[0077]図４Ａ及び図４Ｂは、液体貯留部の或る例示としての実施形態の前面断面図及び後面断面図を示している。カートリッジ４１２０は、気化又はエアロゾル化されるべき物質４１５０を収容する物質貯留部４１００を備えている。物質貯留部４１００は、気化か又はエアロゾル化されるべき物質４１５０を収容するように、及び気化又はエアロゾル化されるべき物質４１５０を温度弁組立体４１６０内の１つ又はそれ以上のチャネルへ送達するように構成されている。ここに記載されているシステム、装置、及び方法の幾つかの実施形態では、液体貯留部４１２０の開口部が開かれたときに、気化又はエアロゾル化されるべき物質４１５０が液体貯留部の内部と液体貯留部４１２０の外部の大気圧の間の圧力差に因り進められるように、液体貯留部４１２０は大気圧に比べて加圧されている。ここに記載されているシステム、装置、及び方法の幾つかの実施形態では、液体貯留部４１２０は、気化又はエアロゾル化されるべき物質４１５０が液体貯留部４１２０から外へ進み出ることで液体貯留部４１２０の中の気化又はエアロゾル化されるべき物質４１５０の量が減少してゆく際に、液体貯留部４１２０内の加圧環境を維持するように構成されている弾性圧力容器４４００を貯留部内に含んでいる。ここに記載されているシステム、装置、及び方法の幾つかの実施形態では、液体貯留部４１２０は、大気圧と略等しい内部圧力を有していて、貯留部マニホールド４２８０内に配置されている空気透過性膜４２９０を含んでいる。これらの実施形態では、空気透過性膜４２９０が、液体貯留部と連通していて、液体貯留部４１２０への空気の流入を許容し、それにより、液体物質が外へ前進し液体貯留部から液体物質と共に空気を押し出す際に液体貯留部４１２０の中に大気圧を維持する。これらの実施形態では、液体貯留部の中に大気圧を維持することによって、空気透過性膜４１９０は、液体貯留部４１２０から流出する気化又はエアロゾル化されるべき液体物質４１５０の連続的な流れの維持を可能にさせる。
【００５１】
[0078]図４Ａは、装置４０００の壁のポート４２７２を示しており、それは空気の流れがポート４２７２を通って装置４０００内部に進入するのを許容するように構成されている。ここに記載されているシステム、装置、及び方法の幾つかの実施形態では、ポート４２７２は内部ハウジングの壁の開口部と連続するように配置されていて、それは、幾つかの実施形態では装置の外部からの空気の流れが装置に進入し生成された蒸気又はエアロゾルと混ざり合うための通路を提供している。
[0079]図５は、手持ち式吸入可能蒸気又はエアロゾル生成装置５０００の或る例示としての実施形態の断面図を示している。ここに記載されているシステム、装置、及び方法の幾つかの実施形態では、装置５０００は、近位端５１００、遠位端５２００、マウスピース５１１０、カートリッジ５１２０、気化又はエアロゾル化されるべき物質５１５０、温度弁組立体５１６０、熱伝導板５１７０、貯留部ガスケット５１８０、放物面形集光器反射器５１９０、レーザーエミッタ５２００、レーザー反射器５２１０、レーザーハウジング５２２０、コンピュータ処理ユニット（ＣＰＵ）５２３０、バッテリ５２４０、主ハウジング５２５０、隔壁５２６０、内部ハウジング５２７０、物質貯留部５３００、及びポート５２７２を備えている。
【００５２】
[0080]マウスピース５１１０は、ここに記載されているシステム、装置、及び方法の幾つかの実施形態では、ハウジング、開口部（図示せず）、及び中空内部を含んでいる。ここに記載されているシステム、装置、及び方法の幾つかの実施形態では、マウスピース５１１０は、生成される蒸気又はエアロゾルが通って使用者の口及び気道へ進んでゆく１つ又はそれ以上の通路を提供又は形成するように構成されている。幾つかの実施形態では、解説されている様に、マウスピース５１１０の中の通路は、衝突壁を提供することによって蒸気又はエアロゾルの流れから大粒子の汚染物質を除去するように構成されており、衝突壁は、蒸気又はエアロゾルの流れに、大粒子が衝突壁との衝突点を越えて更に進むのを防止しながらも小粒子の進行を許容する経路をたどるよう強いる。マウスピース５１１０は、ここに記載されているシステム、装置、及び方法の幾つかの実施形態では、カートリッジ５１２０を収容しているか又は取り囲んでいる。
[0081]ここに記載されているシステム、装置、及び方法の幾つかの実施形態では、カートリッジ５１２０は、プランジャばね５１５０及びプランジャ５１４０を省略していて、気化又はエアロゾル化されるべき物質５１５０の貯留部を備えている。ここに記載されているシステム、装置、及び方法の幾つかでは、気化又はエアロゾル化されるべき物質５１５０を収容しているカートリッジ５１２０は、大気圧に比べて加圧されている。ここに記載されているシステム、装置、及び方法の幾つかの実施形態では、気化又はエアロゾル化されるべき物質５１５０の貯留部を収容しているカートリッジ５１２０は、使用者がマウスピースから空気、蒸気、及び／又はエアロゾルの流れを引くことによってカートリッジ５１５０へ吸引力を加えた際にカートリッジ５１２０への空気の流入を提供する空気透過性膜によって本質的に大気圧に等しい圧力に維持される。
【００５３】
[0082]図５に示されている様に、カートリッジ５１２０は、気化又はエアロゾル化されるべき物質５１５０を収容している物質貯留部５３００を備えている。物質貯留部５３００は、気化か又はエアロゾル化されるべき物質５１５０を収容するように、及び気化又はエアロゾル化されるべき物質５１５０を温度弁組立体５１６０内の１つ又はそれ以上のチャネルへ送達するように構成されている。ここに記載されているシステム、装置、及び方法の幾つかの実施形態では、液体貯留部５１２０の開口部が開かれたときに、気化又はエアロゾル化されるべき物質５１５０が液体貯留部の内部と液体貯留部５１２０の外部の大気圧の間の圧力差に因り進められるように、液体貯留部５１２０は大気圧に比べて加圧されている。ここに記載されているシステム、装置、及び方法の幾つかの実施形態では、液体貯留部５１２０は、気化又はエアロゾル化されるべき物質５１５０が液体貯留部５１２０から外へ進み出ることで液体貯留部５１２０の中の気化又はエアロゾル化されるべき物質５１５０の量が減少してゆく際に、液体貯留部５１２０内の加圧環境を維持するように構成されている弾性圧力容器５５００を貯留部内に含んでいる。
[0083]装置５０００の壁のポート５２７２は、空気の流れがポート５２７２を通って装置５０００内部に進入するのを許容するように構成されている。ここに記載されているシステム、装置、及び方法の幾つかの実施形態では、ポート５２７２は内部ハウジングの壁の開口部と連続するように配置されていて、それは、幾つかの実施形態では装置の外部からの空気の流れが装置に進入し生成された蒸気又はエアロゾルと混ざり合うための通路を提供している。
【００５４】
[0084]温度弁組立体５１６０は、ここに記載されているシステム、装置、及び方法の幾つかの実施形態では、１つ又はそれ以上のチャネル（図示せず）及び温度弁（図示せず）を備えている。１つ又はそれ以上のチャネルは、ここに記載されているシステム、装置、及び方法の幾つかの実施形態では、カートリッジ５１２０の開口部と連続していて、１つ又はそれ以上のチャネルがカートリッジ５１２０から気化又はエアロゾル化されるべき物質５１５０を受け入れるように配置されている。ここに記載されているシステム、装置、及び方法の幾つかの実施形態では、１つ又はそれ以上のチャネルは、気化又はエアロゾル化されるべき液体物質５１５０を毛細管作用によりチャネルの長さに沿って前進させるように構成されている。ここに記載されているシステム、装置、及び方法の幾つかの実施形態では、チャネルの１つ又はそれ以上は、その長さの一部分が拡幅して気化又はエアロゾル化されるべき物質５１５０の貯留部を形成している。幾つかの実施形態では、１つ又はそれ以上のチャネルの拡幅部分は熱伝導板５１７０に当接している。
[0085]ここに記載されているシステム、装置、及び方法の幾つかの実施形態では、温度弁は、加熱されたときに温度弁が１つ又はそれ以上のチャネルの中へ開口するカートリッジ５１２０の開口部を開封するように、温度弁組立体５１６０の中に配置されている弁である。これらの実施形態では、温度弁は、加熱されると第１の形態から第２の形態へ変化するように構成されている。ここに、温度弁の第１の形態では、例えばロッドの様な温度弁の構成要素がカートリッジ５１２０の開口部を封鎖するように位置決めされ、温度弁の第２の形態では、ロッドは開口部から離れさせられ、それにより開口部を開き、気化又はエアロゾル化されるべき物質５１５０が１つ又はそれ以上のチャネルの中へ進められるのを許容する。
【００５５】
[0086]ここに記載されているシステム、装置、及び方法の幾つかの実施形態では、温度弁の第１の形態から温度弁の第２の形態への変化は、それぞれが互いに異なる熱膨張係数を有する２つの材料を温度弁へ組み入れることによって実現される。例えば、ここに記載されているシステム、装置、及び方法の幾つかの実施形態では、温度弁は、それぞれが互いとは異なる熱膨張係数を有する２つの異なる金属で構成されている二金属部分を備えている。これらの実施形態では、第１の熱膨張係数を有する第１の金属は第１の層を備え、第２の熱膨張係数を有する第２の金属は第２の層を備えている。これらの実施形態では、より高い熱膨張係数を有する金属（又は他の材料）の層は、相対的に低い熱膨張係数を有する層より熱源に近接するように熱源の方を向いて配置されている。したがって、より高い熱膨張係数を有する層が加熱されると、それはより低い熱膨張係数を有する層から離れて外方へ膨張する傾向があるので、重層部分全体が加熱源に向かって外方に弧を描く傾向を呈しそれにより温度弁の形態を変化させる。これらの実施形態では、温度弁の第１の層又は温度弁の一部分が加熱されると、加熱された区分は熱源に向かって外方に弧を描き、温度弁の形態を変化させる。これらの実施形態では、温度弁が加熱されていることに応えて形態を変化させるとき温度弁は温度弁組立体５１６０の中で動き、それによりカートリッジ５１２０の開口部を封鎖している温度弁の構成要素を開口部から離れさせ、それにより開口部を開封する。ここに記載されているシステム、装置、及び方法の幾つかの実施形態では、熱源の方を向いて配置されている温度弁部分の第１の層は銅を備え、鉄を備える温度弁部分の第２の層は熱源から見て外に向いて配置されている。ここに記載されているシステム、装置、及び方法の幾つかの実施形態では、二金属部分の表面は、ＩＲ吸収コーティングで被覆されている。ＩＲ吸収コーティングは、ここに記載されているシステム、装置、及び方法の幾つかの実施形態では、色が黒であり、可能な限り理想的な黒体に近い振る舞いをする。これらの実施形態では、ＩＲ加熱源からの入射光からの光子は、コーティング中の原子によって吸収され、するとコーティング中の原子が振動して温まる。熱伝導性バリアの役目を果たしながら、コーティングによって吸収されたエネルギーは次いで二重層部分の表面へ伝わり、上述の様に温度弁の二重層部分に形態を変化させるよう仕向ける。
【００５６】
[0087]熱伝導板５１７０は、ここに記載されているシステム、装置、及び方法の幾つかの実施形態では、気化又はエアロゾル化されるべき物質５１５０を、温度弁組立体５１６０内の１つ又はそれ以上のチャネルから受け入れるように配置されている。ここに記載されているシステム、装置、及び方法の幾つかの実施形態では、温度弁組立体５１６０内の１つ又はそれ以上のチャネルは、熱伝導板５１７０と接合する直前で、貯留部を形成するように直径が拡幅している。ここに記載されているシステム、装置、及び方法の幾つかの実施形態では、熱伝導板５１７０は、気化又はエアロゾル化されるべき物質を自身の細孔内に受け入れるように配置されている多孔質材料を備えている。例えば、ここに記載されているシステム、装置、及び方法の幾つかの実施形態では、気化されるべき物質５１６０はニコチン含有液体を備えており、当該液体は、カートリッジ５１５０から説明されている温度弁組立体５１６０内の１つ又はそれ以上のチャネルの中へ進められ、毛細管作用により１つ又はそれ以上のチャネルを通して進められ、熱伝導板の細孔の中へ受け入れられる。ここに記載されているシステム、装置、及び方法の幾つかの実施形態では、気化又はエアロゾル化されるべき物質は、熱伝導板５１７０の細孔を通過して、熱源に面して配置されている熱伝導板５１７０の表面に到達する。ここに記載されているシステム、装置、及び方法の幾つかの実施形態では、熱源に面している熱伝導板５１７０の表面は陥凹している区域を備えていて、エアロゾル化又は気化されるべき物質５１５０が表面に到達すると物質５１５０は陥凹区域のうちの１つ又はそれ以上に進入し内包されることになる。ここに記載されているシステム、装置、及び方法の幾つかの実施形態では、温度弁組立体５１６０の温度弁と同じく、熱伝導板５１７０の表面は、ＩＲ加熱源で加熱する段階を捗らせるためにＩＲ吸収コーティングで被覆されている。ここに記載されているシステム、装置、及び方法の幾つかの実施形態では、熱伝導板５１７０での使用に適する多孔質材料はチタン金属である。ここに記載されているシステム、装置、及び方法の幾つかの実施形態では、熱伝導板５１７０での使用に適する多孔質材料はセラミックである。ここに記載されているシステム、装置、及び方法の幾つかの実施形態では、セラミックは多孔質ジルコニアで構成されている。
【００５７】
[0088]貯留部ガスケット５１８０は、気化又はエアロゾル化されるべき物質５１５０が熱伝導板５１７０の周りに漏れないように、むしろそれどころか１つ又はそれ以上のチャネルの端の貯留部から熱伝導板５１７０の多孔質材料の細孔の中へ進むよう方向決めされるように配置されている。気化又はエアロゾル化されるべき物質５１５０を内包している熱伝導板５１７０へ熱が加えられると、熱伝導板５１７０全体が温まり、それにより、その中（即ち、それの細孔の中及びそれの表面の１つ又はそれ以上の陥凹の中）の気化又はエアロゾル化されるべき物質５１５０を温める。ここに記載されているシステム、装置、及び方法の幾つかの実施形態では、熱伝導板５１７０の表面上に位置付けられた気化又はエアロゾル化されるべき物質５１５０は、熱伝導板５１７０の細孔の中の物質５１５０より速く温まり、その結果、熱伝導板５１７０の表面上の物質５１５０は熱伝導板５１７０の細孔内の物質より速く気化又はエアロゾル化される。概して、ここに記載されているシステム、装置、及び方法の幾つかの実施形態では、熱伝導板５１７０は熱を全体に行き渡らせるように構成されているので、気化又はエアロゾル化されるべき物質５１５０は熱伝導板５１７０の表面と接触していても又はそれの細孔の何れかの中にあっても、熱伝導板５１７０によって適切な温度へ加熱されたときに気化又はエアロゾル化されることになる。
【００５８】
[0089]温度弁組立体５１６０と熱伝導板５１７０は、装置５０００内で互いの近傍に配置されていて、熱源によって最適に加熱されるように位置付けられている。典型的には、殆どの実施形態では、温度弁組立５１６０及び熱伝導板５１７０は装置５０００のカートリッジ収容部分の中にある。
[0090]ここに記載されているシステム、装置、及び方法の幾つかの実施形態では、主要モジュールは、装置５０００の主ハウジング５２５０内に収容されていて、放物面形集光器反射器５１９０、レーザーエミッタ５２００、レーザー反射器５２１０、レーザーハウジング５２２０、コンピュータ処理ユニット（ＣＰＵ）５２３０、バッテリ５２４０、隔壁５２６０、及び内部ハウジング５２７０を備えている。
[0091]ここに記載されているシステム、装置、及び方法の幾つかの実施形態では、熱源は、装置５０００の少なくとも温度弁及び熱伝導板５１７０へ熱を提供する。ここに記載されているシステム、装置、及び方法の幾つかの実施形態では、熱源はレーザーエミッタ５２００を備えている。ここに記載されているシステム、装置、及び方法の幾つかの実施形態では、熱源はＩＲレーザーエミッタを備えている。ここに記載されているシステム、装置、及び方法の幾つかの実施形態では、熱源はＬＥＤ光源を備えている。ここに記載されているシステム、装置、及び方法の幾つかの実施形態では、熱源は、対流加熱組立体又はマイクロ波加熱組立体を備えている。
【００５９】
[0092]レーザーエミッタ５２００は、幾つかの実施形態では、レーザーハウジング５２２０の中にあり、レーザーエミッタ５２００から放射される光エネルギーの集束、方向決め、及びコリメートのうちの１つ又はそれ以上を行う反射器及びレンズを含む組立体を含んでいる。幾つかの実施形態では、レーザー反射器２２１０は、レーザーエミッタ５２００の近傍内に配置されていて、放射されるレーザーを温度弁組立体５１６０及び熱伝導板５１７０へ方向決めするように構成されている。ここに記載されているシステム、装置、及び方法の幾つかの実施形態では、放物面形集光器反射器５１９０は、レーザーエミッタ５２００と熱伝導板５２７０の間に配置されていて、レーザーエミッタ５２００からの放射された光エネルギーを集束させるように構成されている。ここに記載されているシステム、装置、及び方法の幾つかの実施形態では、円筒形のフレネルレンズ及び凹レンズ（図示せず）が、レーザーエミッタ５２００と温度弁組立体５１６０及び熱伝導板５１７０の間に配置されている。凹レンズは、レーザーエミッタ５２００によって放射される光エネルギーを発散させるように構成されており、２つのレンズのうち温度弁組立体５１６０及び熱伝導板５１７０により近く位置付けられている円筒形のフレネルレンズは、レーザーエミッタ５２００によって放射される光エネルギーをコリメートするように構成されている。フレネルレンズは、他のレンズ型式に比べると動作させるのに必要となる材料が少ないので、このシステムにとって理想的である。ここに記載されているシステム、装置、及び方法の幾つかの実施形態では、目標であるＩＲ吸収部分を囲っていて何がしかの失われる放射エネルギーを向け直すように構成されている金の楕円形反射器（図示せず）も設けられることになるだろう。
【００６０】
[0093]ここに記載されているシステム、装置、及び方法の幾つかの実施形態では、例えば、レーザーエミッタ５２００から放射される光エネルギーの様な、熱源から放射されるエネルギーの波長は、気化又はエアロゾル化されるべき物質５１５０の最適吸光度に整合される。幾つかの実施形態では、放射されるエネルギーの波長は、例えばＣＰＵ５２３０を使ってレーザーエミッタ５２００の波長を修正させることによって調節可能である。気化又はエアロゾル化されるべき物質５１５０の最適吸光度波長は、例えば標準吸光度曲線によって求められる。
[0094]ここに記載されているシステム、装置、及び方法の幾つかでは、装置５０００は複数のエミッタを備え、各エミッタは異なる波長を有するエネルギーを放射するように構成されている。例えば、気化又はエアロゾル化されるべき物質５１５０が薬剤と付形剤の混合物を備えていてそれぞれが異なる最適吸光度波長を有しているという実施形態では、第１のエミッタは薬剤によって最適に吸収される波長のエネルギーを放射するように設定又は調節され、第２のエミッタは付形剤によって最適に吸収される波長のエネルギーを放射するように設定又は調節される。
【００６１】
[0095]ここに記載されているシステム、装置、及び方法の幾つかの実施形態では、装置５０００は、更に、ＣＰＵ５２３０、バッテリ５２４０、及び主要モジュールの他の構成要素の少なくとも一部、を収納している内部ハウジング５２７０を含んでいる。幾つかの実施形態では、隔壁２２６０が、主要モジュールをカートリッジ２１２０、温度弁組立体５１６０、及び熱伝導板５１７０と結合するように構成されている。システム、装置、及び方法の幾つかの実施形態では、内部ハウジングは、装置５０００のハウジング側のポートと連続するように配置されている開口部を備えている。これらの実施形態では、装置５０００の外部からの空気の流れは、装置のハウジングのポートを通って装置５０００に進入し、次いで内部ハウジング５２７０の壁の開口部を通って進行して装置の内部に達し、装置５０００によって生成される蒸気か又はエアロゾルと混ざり合う。これらの実施形態では、隔壁２２６０は、内部ハウジング５２７０の壁の開口部が塞がれないようにして内部ハウジングと結合するように構成されている。ここに記載されているシステム、装置、及び方法の幾つかの実施形態では、隔壁は、カートリッジ２１２０、温度弁組立体５１６０、及び熱伝導板５１７０のうちの１つ又はそれ以上、又はそれらの一部分を受け入れるように構成されている結合器又は開口部を備えている。
【００６２】
[0096]バッテリ５２４０は、パワー源を装置５０００の加熱源、ＣＰＵ、及び何れかの他のパワー供給される構成要素へ提供するように構成されている。ここに記載されているシステム、装置、及び方法の幾つかの実施形態では、バッテリは再充電式バッテリである。ここに記載されているシステム、装置、及び方法の幾つかの実施形態では、バッテリは、リチウムイオンバッテリ又は再充電式リチウムイオンバッテリである。ここに記載されているシステム、装置、及び方法の幾つかの実施形態では、バッテリは、リチウムマンガン酸化物バッテリ、リチウムマンガンコバルト酸化物バッテリ、リチウムリン酸鉄バッテリ、リチウムニッケルコバルトアルミニウム酸化物バッテリ、又はチタン酸リチウムバッテリである。
[0097]ＣＰＵ５２３０は、ここに記載されているシステム、装置、及び方法の幾つかの実施形態では、レーザーエミッタ５２００の機能を制御及び監視するソフトウェアを含んでいる。
【００６３】
[0098]システムは、幾つかの実施形態では、１つ又はそれ以上の遠隔プロセッサと通信するように構成されているＣＰＵ５２３０を備えている。これらのシステムの実施形態では、ＣＰＵ５２３０は、遠隔プロセッサからのコマンドを受信するように、そして性能及び／又は使用量データを遠隔プロセッサへ提供するように構成されている。気化又はエアロゾル化されるべき物質２１５０が薬剤を備えている実施形態では、システムは、遠隔プロセッサがコマンドをＣＰＵ５２３０へ提供して、例えばＣＰＵ５２３０に気化又はエアロゾル化されるべき物質２１５０へ熱が加えられる持続時間を修正させることによって、又は例えばＣＰＵ５２３０に気化又はエアロゾル化されるべき物質５１５０へ加えられる熱の温度を修正させることによって、生成される蒸気又はエアロゾルの一回服用量を調節するように構成されている。
[0099]例えばレーザーエミッタ５２００及びＣＰＵ５２３０の使用による精密加熱は、加えられる熱の量及び熱が加えられる持続時間の両方の観点から気化又はエアロゾル化されるべき物質５１５０の精密温度制御を提供する。典型的には、相対的に高い温度及び／又は長い持続時間の加熱は、より小さい蒸気又はエアロゾル粒子を生成し、相対的に低い温度及び／又は短い持続時間の加熱は、より小さい蒸気又はエアロゾル粒子を生成するので、生成される蒸気又はエアロゾルの粒子の大きさは、ＣＰＵ５２３０との協働によるレーザーエミッタ５２００によって精密に制御される。
【００６４】
プランジャ収容カートリッジの実施形態
[0100]図６は、手持ち式吸入可能蒸気又はエアロゾル生成装置６０００の或る例示としての実施形態の断面図を示している。ここに記載されているシステム、装置、及び方法の幾つかの実施形態では、模擬喫煙装置６０００は、近位端６１００、マウスピース６１１０、カートリッジ６１２０、プランジャばね６１３０、プランジャ６１４０、気化又はエアロゾル化されるべき物質６１５０、温度弁組立体６１２０、熱伝導板６１７０、貯留部ガスケット６１８０、放物面形集光器反射器６１９０、レーザーエミッタ６２００、レーザー反射器６２１０、レーザーハウジング６２２０、コンピュータ処理ユニット（ＣＰＵ）６２３０、バッテリ６２４０、主ハウジング６２５０、隔壁６２６０、及び内部ハウジング６２７０を備えている。
【００６５】
[0101]マウスピース６１１０は、ここに記載されているシステム、装置、及び方法の幾つかの実施形態では、ハウジング、開口部（図示せず）、及び中空内部を含んでいる。ここに記載されているシステム、装置、及び方法の幾つかの実施形態では、マウスピース６１１０は、生成される蒸気又はエアロゾルが通って使用者の口及び気道へ進んでゆく１つ又はそれ以上の通路を提供又は形成するように構成されている。幾つかの実施形態では、解説されている様に、マウスピース６１１０の中の通路は、衝突壁を提供することによって蒸気又はエアロゾルの流れから大粒子の汚染物質を除去するように構成されており、衝突壁は、蒸気又はエアロゾルの流れに、大粒子が衝突壁との衝突点を越えて更に進むのを防止しながらも小粒子の進行を許容する経路をたどるよう強いる。マウスピース６１１０は、ここに記載されているシステム、装置、及び方法の幾つかの実施形態では、カートリッジ６１２０を収容しているか又は取り囲んでいる。
【００６６】
[0102]カートリッジ６１２０は、気化か又はエアロゾル化されるべき物質６１５０を収容するように構成されている。ここに記載されているシステム、装置、及び方法の幾つかの実施形態では、カートリッジは、更に、気化又はエアロゾル化されるべき物質６１５０を温度弁組立体６１２０内の１つ又はそれ以上のチャネルへ能動的に送達するように構成されている。ここに記載されているシステム、装置、及び方法の幾つかでは、カートリッジ６１２０は、更に、プランジャ６１４０を収容しており、ここに記載されているシステム、装置、及び方法の幾つかの実施形態では、カートリッジ６１２０はプランジャばね６１３０を収容している。ここに記載されているシステム、装置、及び方法の幾つかの実施形態では、プランジャ６１４０は、装置６０００のマウスピース６１１０が使用者の口の方へ向き付けられたときにプランジャ６１４０が使用者に対し気化又はエアロゾル化されるべき物質６１５０に比べて近位に位置付けられるように（即ち、プランジャが気化又はエアロゾル化されるべき物質よりも装置の近位端により近くなるように）してカートリッジ６１２０の中に配置されている。これらの実施形態では、プランジャ６１４０は、したがって、気化又はエアロゾル化されるべき物質６１５０を使用者の位置に対して遠位方向にカートリッジから外へ押し出すように配置されている。但し、カートリッジ６１２０内の構成要素の多様な構成及び向きもまた、ここに記載されているシステム、装置、及び方法と共に使用するのに適しているものと理解されたい。例えば、ここに記載されているシステム、装置、及び方法の幾つかの実施形態では、マウスピース６１１０が使用者の口の方へ向き付けられているとき、プランジャは使用者に対し気化又はエアロゾル化されるべき物質の位置に比べて遠位に位置付けられている。ここに記載されているシステム、装置、及び方法の幾つかの実施形態では、例えば、カートリッジはマウスピース６１１０の中に配置されているのではなく、代わりに例えば装置６０００の主要モジュール部分内に配置されている。
【００６７】
[0103]ここに記載されているシステム、装置、及び方法の幾つかの実施形態では、プランジャ６１４０は、カートリッジ６１２０の中では、プランジャ６１４０が気化又はエアロゾル化されるべき物質６１２０に当接するように配置されており、更にはプランジャ６１４０は、装置６０００のマウスピース６１１０が使用者の口の方へ向き付けられているとき、気化又はエアロゾル化されるべき物質６１５０がカートリッジ６１２０から出て進んでゆく際にプランジャ６１４０が使用者に対して遠位方向に前進するように構成されている。ここに記載されているシステム、装置、及び方法の幾つかの実施形態では、プランジャ６１４０はカートリッジ６１２０の中でプランジャばね６１３０によって進められる。ここに記載されているシステム、装置、及び方法の幾つかの実施形態では、プランジャばね６１３０は、プランジャばね６１３０が力をプランジャ６１４０へ伝達し、それによりプランジャ６１４０を前進させ、気化又はエアロゾル化されるべき物質６１５０を温度弁組立体６１２０の中の１つ又はそれ以上のチャネルの中へ押し出させるように、プランジャ６１４０と作動的に連絡している。
【００６８】
[0104]ここに記載されているシステム、装置、及び方法の幾つかの実施形態では、プランジャばね６１３０は省略されており、プランジャ６１４０の外面とカートリッジ６１２０の内面の一方又はそれ以上が、カートリッジ６１２０の中でのプランジャ６１４０の摩擦無し運動を生じさせる材料を備えている。例えば、ここに記載されているシステム、装置、及び方法の幾つかの実施形態では、プランジャ６１４０は、ガラスで作られた外面を有し、カートリッジ６１２０はガラスで作られた内面を有している。２つのガラス面を有するこれらの実施形態の幾つかでは、プランジャ６１４０がカートリッジ６１２０のガラスの内面に対して摩擦無く動くように、液体の薄層がプランジャ６１４０のガラス面とカートリッジ６１２０のガラス内面の間に配置されている。２つのガラス面を有するこれらの実施形態の幾つかでは、カートリッジ６１２０は、プランジャばね６１３０を含んでいない。２つのガラス面を有するこれらの実施形態の幾つかでは、プランジャ６１３０とカートリッジ６１２０の間の流体の薄層は、気化又はエアロゾル化されるべき物質である。カートリッジ６１２０のこれらの実施形態の幾つかでは、プランジャ６１４０はシャトルプラグを備えており、シャトルプラグは幾つかの実施形態では中空の空気充満内部を有するピストン形状の本体を備えている。
【００６９】
[0105]ここに記載されているシステム、装置、及び方法の幾つかの実施形態では、使用者がマウスピース６１１０に係合し蒸気を引いて吸引力を作り出すとプランジャ６１４０は気化又はエアロゾル化されるべき物質６１５０に対して前進させられ、つまり吸引力がカートリッジ６１２０内の開口部を通してプランジャ６１４０へ伝達され、プランジャ６１４０を気化又はエアロゾル化されるべき物質６１５０に対して前進させ、それにより気化又はエアロゾル化されるべき物質６１５０をカートリッジ６１２０から外へ押し出しカートリッジ６１２０の開口部（図示せず）を通して温度弁組立体６１２０の中の１つ又はそれ以上のチャネル（図示せず）の中へ入れるわけである。
[0106]温度弁組立体６１２０は、ここに記載されているシステム、装置、及び方法の幾つかの実施形態では、１つ又はそれ以上のチャネル（図示せず）及び温度弁（図示せず）を備えている。１つ又はそれ以上のチャネルは、ここに記載されているシステム、装置、及び方法の幾つかの実施形態では、カートリッジ６１２０内の開口部と連続していて、１つ又はそれ以上のチャネルがカートリッジ６１２０から気化又はエアロゾル化されるべき物質６１５０を受け入れるように配置されている。ここに記載されているシステム、装置、及び方法の幾つかの実施形態では、１つ又はそれ以上のチャネルは、気化又はエアロゾル化されるべき液体物質６１５０を毛細管作用によりチャネルの長さに沿って前進させるように構成されている。ここに記載されているシステム、装置、及び方法の幾つかの実施形態では、チャネルの１つ又はそれ以上は、その長さの一部分が拡幅して気化又はエアロゾル化されるべき物質６１５０の貯留部を形成している。幾つかの実施形態では、１つ又はそれ以上のチャネルの拡幅部分は熱伝導板６１７０に当接している。
【００７０】
[0107]ここに記載されているシステム、装置、及び方法の幾つかの実施形態では、温度弁は、加熱されたときに温度弁が１つ又はそれ以上のチャネルの中へ開口するカートリッジ６１２０の開口部を開封するように、温度弁組立体６１２０の中に配置されている弁である。これらの実施形態では、温度弁は、加熱されると第１の形態から第２の形態へ変化するように構成されている。ここに、温度弁の第１の形態では、例えばロッドの様な温度弁の構成要素がカートリッジ６１２０の開口部を封鎖するように位置決めされ、温度弁の第２の形態では、ロッドは開口部から離れさせられ、それにより開口部を開き、気化又はエアロゾル化されるべき物質６１５０が１つ又はそれ以上のチャネルの中へ進められるのを許容する。
【００７１】
[0108]ここに記載されているシステム、装置、及び方法の幾つかの実施形態では、温度弁の第１の形態から温度弁の第２の形態への変化は、それぞれが互いに異なる熱膨張係数を有する２つの材料を温度弁へ組み入れることによって実現される。例えば、ここに記載されているシステム、装置、及び方法の幾つかの実施形態では、温度弁は、それぞれが互いとは異なる熱膨張係数を有する２つの異なる金属で構成されている二金属部分を備えている。これらの実施形態では、第１の熱膨張係数を有する第１の金属は第１の層を備え、第２の熱膨張係数を有する第２の金属は第２の層を備えている。これらの実施形態では、より高い熱膨張係数を有する金属（又は他の材料）の層は、相対的に低い熱膨張係数を有する層より熱源に近接するように熱源の方を向いて配置されている。したがって、より高い熱膨張係数を有する層が加熱されると、それはより低い熱膨張係数を有する層から離れて外方へ膨張する傾向があるので、重層部分全体が加熱源に向かって外方に弧を描く傾向を呈しそれにより温度弁の形態を変化させる。これらの実施形態では、温度弁の第１の層又は温度弁の一部分が加熱されると、加熱された区分は熱源に向かって外方に弧を描き、温度弁の形態を変化させる。これらの実施形態では、温度弁が加熱されていることに応えて形態を変化させるとき温度弁は温度弁組立体６１２０の中で動き、それによりカートリッジ６１２０の開口部を封鎖している温度弁の構成要素を開口部から離れさせ、それにより開口部を開封する。ここに記載されているシステム、装置、及び方法の幾つかの実施形態では、熱源の方を向いて配置されている温度弁部分の第１の層は銅を備え、鉄を備える温度弁部分の第２の層は熱源から見て外に向いて配置されている。ここに記載されているシステム、装置、及び方法の幾つかの実施形態では、二金属部分の表面は、ＩＲ吸収コーティングで被覆されている。ＩＲ吸収コーティングは、ここに記載されているシステム、装置、及び方法の幾つかの実施形態では、色が黒であり、可能な限り理想的な黒体に近い振る舞いをする。これらの実施形態では、ＩＲ加熱源からの入射光からの光子は、コーティング中の原子によって吸収され、するとコーティング中の原子が振動して温まる。熱伝導性バリアの役目を果たしながら、コーティングによって吸収されたエネルギーは次いで二重層部分の表面へ伝わり、上述の様に温度弁の二重層部分に形態を変化させるよう仕向ける。
【００７２】
[0109]熱伝導板６１７０は、ここに記載されているシステム、装置、及び方法の幾つかの実施形態では、気化又はエアロゾル化されるべき物質６１５０を、温度弁組立体６１２０内の１つ又はそれ以上のチャネルから受け入れるように配置されている。ここに記載されているシステム、装置、及び方法の幾つかの実施形態では、温度弁組立体６１２０内の１つ又はそれ以上のチャネルは、熱伝導板６１７０と接合する直前で、貯留部を形成するように直径が拡幅している。ここに記載されているシステム、装置、及び方法の幾つかの実施形態では、熱伝導板６１７０は、気化又はエアロゾル化されるべき物質を自身の細孔内に受け入れるように配置されている多孔質材料を備えている。例えば、ここに記載されているシステム、装置、及び方法の幾つかの実施形態では、気化されるべき物質６１２０はニコチン含有液体を備えており、当該液体は、カートリッジ６１２０から説明されている温度弁組立体６１２０内の１つ又はそれ以上のチャネルの中へ進められ、毛細管作用により１つ又はそれ以上のチャネルを通して進められ、熱伝導板の細孔の中へ受け入れられる。ここに記載されているシステム、装置、及び方法の幾つかの実施形態では、気化又はエアロゾル化されるべき物質は、熱伝導板６１７０の細孔を通過して、熱源に面して配置されている熱伝導板６１７０の表面に到達する。ここに記載されているシステム、装置、及び方法の幾つかの実施形態では、熱源に面している熱伝導板６１７０の表面は陥凹している区域を備えていて、エアロゾル化又は気化されるべき物質６１５０が表面に到達すると物質６１５０は陥凹区域のうちの１つ又はそれ以上に進入し内包されることになる。ここに記載されているシステム、装置、及び方法の幾つかの実施形態では、温度弁組立体６１２０の温度弁と同じく、熱伝導板６１７０の表面は、ＩＲ加熱源で加熱する段階を捗らせるためにＩＲ吸収コーティングで被覆されている。ここに記載されているシステム、装置、及び方法の幾つかの実施形態では、熱伝導板６１７０での使用に適する多孔質材料はチタン金属である。ここに記載されているシステム、装置、及び方法の幾つかの実施形態では、熱伝導板６１７０での使用に適する多孔質材料はセラミックである。ここに記載されているシステム、装置、及び方法の幾つかの実施形態では、セラミックは多孔質ジルコニアで構成されている。
【００７３】
[0110]貯留部ガスケット６１８０は、気化又はエアロゾル化されるべき物質６１５０が熱伝導板６１７０の周りに漏れないように、むしろそれどころか１つ又はそれ以上のチャネルの端の貯留部から熱伝導板６１７０の多孔質材料の細孔の中へ進むよう方向決めされるように配置されている。気化又はエアロゾル化されるべき物質６１５０を内包している熱伝導板６１７０へ熱が加えられると、熱伝導板６１７０全体が温まり、それにより、その中（即ち、それの細孔の中及びそれの表面の１つ又はそれ以上の陥凹の中）の気化又はエアロゾル化されるべき物質６１５０を温める。ここに記載されているシステム、装置、及び方法の幾つかの実施形態では、熱伝導板６１７０の表面上に位置付けられた気化又はエアロゾル化されるべき物質６１５０は、熱伝導板６１７０の細孔の中の物質６１５０より速く温まり、その結果、熱伝導板６１７０の表面上の物質６１５０は熱伝導板６１７０の細孔内の物質より速く気化又はエアロゾル化される。概して、ここに記載されているシステム、装置、及び方法の幾つかの実施形態では、熱伝導板６１７０は熱を全体に行き渡らせるように構成されているので、気化又はエアロゾル化されるべき物質６１５０は熱伝導板６１７０の表面と接触していても又はそれの細孔の何れかの中にあっても、熱伝導板６１７０によって適切な温度へ加熱されたときに気化又はエアロゾル化されることになる。
【００７４】
[0111]温度弁組立体６１２０と熱伝導板６１７０は、装置６０００内で互いの近傍に配置されていて、熱源によって最適に加熱されるように位置付けられている。典型的には、殆どの実施形態では、温度弁組立体６１２０及び熱伝導板６１７０は装置６０００のカートリッジ収容部分の中にある。
[0112]図６は、温度弁組立体６１２０、熱伝導板６１７０、及び放物面形集光器反射器６１９０の例示としての接面の分解図を示している。図示の様に、気化又はエアロゾル化されるべき物質６１５０は、温度弁組立体６１２０のチャネルの中を熱伝導板６１７０まで進み、そこで物質６１５０は、レーザーエミッタ６２００からの放射されるエネルギーを熱伝導板６１７０の表面全体へコリメートするように構成されている放物面形集光器反射器６１９０の近傍内に配置されている熱伝導板６１７０の表面へ堆積される。
[0113]ここに記載されているシステム、装置、及び方法の幾つかの実施形態では、主要モジュールは、装置６０００の主ハウジング６２５０の中に収容されていて、放物面形集光器反射器６１９０、レーザーエミッタ６２００、レーザー反射器６２１０、レーザーハウジング６２２０、コンピュータ処理ユニット（ＣＰＵ）６２３０、バッテリ６２４０、隔壁６２６０、及び内部ハウジング６２７０を備えている。
[0114]ここに記載されているシステム、装置、及び方法の幾つかの実施形態では、熱源は、装置６０００の少なくとも温度弁及び熱伝導板６１７０へ熱を提供する。ここに記載されているシステム、装置、及び方法の幾つかの実施形態では、熱源はレーザーエミッタ６２００を備えている。ここに記載されているシステム、装置、及び方法の幾つかの実施形態では、熱源はＩＲレーザーエミッタを備えている。ここに記載されているシステム、装置、及び方法の幾つかの実施形態では、熱源はＬＥＤ光源を備えている。ここに記載されているシステム、装置、及び方法の幾つかの実施形態では、熱源は、対流加熱組立体又はマイクロ波加熱組立体を備えている。
【００７５】
[0115]レーザーエミッタ６２００は、幾つかの実施形態では、レーザーハウジング６２２０の中にあり、レーザーエミッタ６２００から放射される光エネルギーの集束、方向決め、及びコリメートのうちの１つ又はそれ以上を行う反射器及びレンズを含む組立体を含んでいる。幾つかの実施形態では、レーザー反射器６２１０は、レーザーエミッタ６２００の近傍内に配置されていて、放射されるレーザーを温度弁組立体６１２０及び熱伝導板６１７０へ方向決めするように構成されている。ここに記載されているシステム、装置、及び方法の幾つかの実施形態では、放物面形集光器反射器６１９０は、レーザーエミッタ６２００と熱伝導板６２７０の間に配置されていて、レーザーエミッタ６２００からの放射された光エネルギーを集束させるように構成されている。ここに記載されているシステム、装置、及び方法の幾つかの実施形態では、円筒形のフレネルレンズ及び凹レンズ（図示せず）が、レーザーエミッタ６２００と温度弁組立体６１２０及び熱伝導板６１７０の間に配置されている。凹レンズは、レーザーエミッタ６２００によって放射される光エネルギーを発散させるように構成されており、２つのレンズのうち温度弁組立体６１２０及び熱伝導板６１７０により近く位置付けられている円筒形のフレネルレンズは、レーザーエミッタ６２００によって放射される光エネルギーをコリメートするように構成されている。フレネルレンズは、他のレンズ型式に比べると動作させるのに必要となる材料が少ないので、このシステムにとって理想的である。ここに記載されているシステム、装置、及び方法の幾つかの実施形態では、目標であるＩＲ吸収部分を囲っていて何がしかの失われる放射エネルギーを向け直すように構成されている金の楕円形反射器（図示せず）も設けられることになるだろう。
【００７６】
[0116]ここに記載されているシステム、装置、及び方法の幾つかの実施形態では、例えば、レーザーエミッタ６２００から放射される光エネルギーの様な、熱源から放射されるエネルギーの波長は、気化又はエアロゾル化されるべき物質６１５０の最適吸光度に整合される。幾つかの実施形態では、放射されるエネルギーの波長は、例えばＣＰＵ６２３０を使ってレーザーエミッタ６２００の波長を修正させることによって調節可能である。気化又はエアロゾル化されるべき物質６１５０の最適吸光度波長は、例えば標準吸光度曲線によって求められる。
[0117]ここに記載されているシステム、装置、及び方法の幾つかでは、装置６０００は複数のエミッタを備え、各エミッタは異なる波長を有するエネルギーを放射するように構成されている。例えば、気化又はエアロゾル化されるべき物質６１５０が薬剤と付形剤の混合物を備えていてそれぞれが異なる最適吸光度波長を有しているという実施形態では、第１のエミッタは薬剤によって最適に吸収される波長のエネルギーを放射するように設定又は調節され、第２のエミッタは付形剤によって最適に吸収される波長のエネルギーを放射するように設定又は調節される。
【００７７】
[0118]ここに記載されているシステム、装置、及び方法の幾つかの実施形態では、装置６０００は、更に、ＣＰＵ６２３０、バッテリ６２４０、及び主要モジュールの他の構成要素の少なくとも一部、を収納している内部ハウジング６２７０を含んでいる。幾つかの実施形態では、隔壁６２６０が、主要モジュールをカートリッジ６１２０、温度弁組立体６１２０、及び熱伝導板６１７０と結合するように構成されている。システム、装置、及び方法の幾つかの実施形態では、内部ハウジングは、装置６０００のハウジング側のポートと連続するように配置されている開口部を備えている。これらの実施形態では、装置６０００の外部からの空気の流れは、装置のハウジングのポートを通って装置６０００に進入し、次いで内部ハウジング６２７０の壁の開口部を通って進行して装置の内部に達し、装置６０００によって生成される蒸気か又はエアロゾルと混ざり合う。これらの実施形態では、隔壁６２６０は、内部ハウジング６２７０の壁の開口部が塞がれないようにして内部ハウジングと結合するように構成されている。ここに記載されているシステム、装置、及び方法の幾つかの実施形態では、隔壁は、カートリッジ６１２０、温度弁組立体６１２０、及び熱伝導板６１７０のうちの１つ又はそれ以上、又はそれらの一部分を受け入れるように構成されている結合器又は開口部を備えている。
【００７８】
[0119]バッテリ６２４０は、パワー源を装置６０００の加熱源、ＣＰＵ、及び何れかの他のパワー供給される構成要素へ提供するように構成されている。ここに記載されているシステム、装置、及び方法の幾つかの実施形態では、バッテリは再充電式バッテリである。ここに記載されているシステム、装置、及び方法の幾つかの実施形態では、バッテリは、リチウムイオンバッテリ又は再充電式リチウムイオンバッテリである。ここに記載されているシステム、装置、及び方法の幾つかの実施形態では、バッテリは、リチウムマンガン酸化物バッテリ、リチウムマンガンコバルト酸化物バッテリ、リチウムリン酸鉄バッテリ、リチウムニッケルコバルトアルミニウム酸化物バッテリ、又はチタン酸リチウムバッテリである。
[0120]ＣＰＵ６２３０は、ここに記載されているシステム、装置、及び方法の幾つかの実施形態では、レーザーエミッタ６２００の機能を制御及び監視するソフトウェアを含んでいる。
[0121]システムは、幾つかの実施形態では、１つ又はそれ以上の遠隔プロセッサと通信するように構成されているＣＰＵ６２３０を備えている。これらのシステムの実施形態では、ＣＵ６２３０は、遠隔プロセッサからのコマンドを受信するように、そして性能及び／又は使用量データを遠隔プロセッサへ提供するように構成されている。気化又はエアロゾル化されるべき物質６１５０が薬剤を備えている実施形態では、システムは、遠隔プロセッサがコマンドをＣＰＵ６２３０へ提供して、例えばＣＰＵ６２３０に気化又はエアロゾル化されるべき物質６１５０へ熱が加えられる持続時間を修正させることによって、又は例えばＣＰＵ６２３０に気化又はエアロゾル化されるべき物質６１５０へ加えられる熱の温度を修正させることによって、生成される蒸気又はエアロゾルの一回服用量を調節するように構成されている。
【００７９】
[0122]例えばレーザーエミッタ６２００及びＣＰＵ６２３０の使用による精密加熱は、加えられる熱の量及び熱が加えられる持続時間の両方の観点から気化又はエアロゾル化されるべき物質６１５０の精密温度制御を提供する。典型的には、相対的に高い温度及び／又は長い持続時間の加熱は、より小さい蒸気又はエアロゾル粒子を生成し、相対的に低い温度及び／又は短い持続時間の加熱は、より小さい蒸気又はエアロゾル粒子を生成するので、生成される蒸気又はエアロゾルの粒子の大きさは、ＣＰＵ６２３０との協働によるレーザーエミッタ６２００によって精密に制御される。
[0123]図７Ａ−図７Ｃは、シャトルプラグ７１４０を備える手持ち式吸入可能蒸気生成装置の或る例示としての実施形態を示している。カートリッジ７１２０のこれらの実施形態の幾つかでは、プランジャはシャトルプラグ７４１０を備えており、シャトルプラグ７１４０は幾つかの実施形態では中空の空気充満内部を有するピストン形状の本体を備えている。
【００８０】
[0124]カートリッジ７１２０は、気化か又はエアロゾル化されるべき物質７１５０を収容するように、及び気化又はエアロゾル化されるべき物質７１５０を温度弁組立体７１６０内の１つ又はそれ以上のチャネルへ送達するように構成されている。ここに記載されているシステム、装置、及び方法の幾つかの実施形態では、カートリッジ７１２０は、更に、シャトルプラグ７１４０を収容しており、ここに記載されているシステム、装置、及び方法の幾つかの実施形態では、カートリッジ７１２０はシャトルプラグばね７１３０を収容している。ここに記載されているシステム、装置、及び方法の幾つかの実施形態では、シャトルプラグ７１４０は、装置７０００のマウスピース７１１０が使用者の口の方に向き付けられたときにシャトルプラグ７１４０が使用者に対し気化又はエアロゾル化されるべき物質７１５０に比べて近位になるようにカートリッジ７１２０の中に配置されている。これらの実施形態では、シャトルプラグ７１４０は、したがって、気化又はエアロゾル化されるべき物質７１５０を使用者の位置に対して遠位方向にカートリッジから外へ押し出すように配置されている。但し、カートリッジ７１２０内の構成要素の多様な構成及び向きもまた、ここに記載されているシステム、装置、及び方法と共に使用するのに適しているものと理解されたい。例えば、ここに記載されているシステム、装置、及び方法の幾つかの実施形態では、マウスピース７１１０が使用者の口の方へ向き付けられているとき、シャトルプラグは使用者に対し気化又はエアロゾル化されるべき物質の位置に比べて遠位に位置付けられている。ここに記載されているシステム、装置、及び方法の幾つかの実施形態では、例えば、カートリッジはマウスピース７１１０の中に配置されていない。
【００８１】
[0125]ここに記載されているシステム、装置、及び方法の幾つかの実施形態では、シャトルプラグ７１４０は、カートリッジ７１２０の中では、シャトルプラグ７１４０が気化又はエアロゾル化されるべき物質７１６０に当接するように配置されており、更にはシャトルプラグ７１４０は、装置７０００のマウスピース７１１０が使用者の口の方へ向き付けられているとき、気化又はエアロゾル化されるべき物質７１５０がカートリッジ７１２０から出て進んでゆく際にシャトルプラグ７１４０が使用者に対して遠位方向に前進するように構成されている。ここに記載されているシステム、装置、及び方法の幾つかの実施形態では、シャトルプラグ７１４０はカートリッジ７１２０の中でシャトルプラグばね７１３０によって進められる。ここに記載されているシステム、装置、及び方法の幾つかの実施形態では、シャトルプラグばね７１３０は、シャトルプラグばね７１３０が力をシャトルプラグ７１４０へ伝達し、それによりシャトルプラグ７１４０を前進させ、気化又はエアロゾル化されるべき物質７１５０を温度弁組立体７１６０の中の１つ又はそれ以上のチャネルの中へ押し出させるように、シャトルプラグ７１４０と作動的に連絡している。
【００８２】
[0126]ここに記載されているシステム、装置、及び方法の幾つかの実施形態では、シャトルプラグ７１４０の外面とカートリッジ７１２０の内面のうち一方又はそれ以上は、カートリッジ７１２０内でのシャトルプラグ７１４０の摩擦無し運動を生じさせる材料を備えている。例えば、ここに記載されているシステム、装置、及び方法の幾つかの実施形態では、シャトルプラグ７１４０はガラスで作られた外面を有し、カートリッジ７１２０はガラスで作られた内面を有している。２つのガラス面を有するこれらの実施形態の幾つかでは、シャトルプラグ７１４０がカートリッジ７１２０のガラスの内面に対して摩擦無く動くように、液体の薄層７４０２及び７４０４がシャトルプラグ７１４０のガラス面とカートリッジ７１２０のガラス内面の間に配置されている。２つのガラス面を有するこれらの実施形態の幾つかでは、カートリッジ７１２０は、シャトルプラグばね７１３０を含んでいない。２つのガラス面を有するこれらの実施形態の幾つかでは、シャトルプラグ７１３０とカートリッジ７１２０の間の流体の薄層は、気化又はエアロゾル化されるべき物質である。
【００８３】
[0127]ここに記載されているシステム、装置、及び方法の幾つかの実施形態では、使用者がマウスピース７１１０に係合し蒸気を引いて吸引力を作り出すとシャトルプラグ７１４０は気化又はエアロゾル化されるべき物質１５０に対して前進させられ、つまり吸引力がシャトルプラグ７１４０を気化又はエアロゾル化されるべき物質７１５０に対して前進させ、それにより気化又はエアロゾル化されるべき物質７１５０をカートリッジ７１２０から外へ押し出しカートリッジ７１２０の開口部７３５０を通して温度弁組立体７１６０の中の１つ又はそれ以上のチャネル（図示せず）の中へ入れるわけである。
[0128]ここに記載されているシステム、装置、及び方法の幾つかの実施形態では、カートリッジ７１２０は、シャトルプラグ７１４０ではなしに、気化又はエアロゾル化されるべき物質７１５０を１つ又はそれ以上のチャネルから外へ前進させる袋（図示せず）又はバルーンを備えている。これらの実施形態では、気化又はエアロゾル化されるべき物質７１５０は袋又はバルーンの中に配置されていて、袋又はバルーンが気化又はエアロゾル化されるべき物質７１５０を圧縮するか又は当該物質に押し付けて進められると、気化又はエアロゾル化されるべき物質７１５０が開口部７３５０を通して進められカートリッジ７１２０から外に出て温度弁組立体７１６０内の１つ又はそれ以上のチャネル（図示せず）の中へ入るようになっている。
【００８４】
[0129]図８は、手持ち式吸入可能蒸気生成装置８０００を通る蒸気流又はエアロゾル流８００６ａ−８００６ｃの或る例示としての経路の説明図を示している。生成された蒸気又はエアロゾルの手持ち式吸入可能蒸気生成装置８０００を通る経路は、最初は、空気の流れが装置８０００の側面ポート（図示せず）を通って装置に進入することから始まる。装置８０００を通る空気流れは、ここに記載されているシステム、装置、及び方法の幾つかの実施形態では、装置を通して空気を引く使用者が、自分の口を使ってマウスピースを通して吸引力を生じさせることによって（即ち、マウスピースを通して空気を吸い込むことによって）開始される。装置８０００に流入する空気流れは装置内の生成された蒸気又はエアロゾルと混ざり合って混合流れ８００６ａとなる。一部の実施形態では、混合流れ８００６ａは、比較的均質の組成を有する気化又はエアロゾル化されるべき物質の粒子を含有している。幾つかの実施形態では、混合流れ８００６ａは、比較的不均質の組成を有する気化又はエアロゾル化されるべき物質の粒子を含有している。混合流れ８００６ａが装置８０００を通って進んでゆくと、混合流れ８００６ａはマウスピース８００２に出会い、具体的にはマウスピース８００２の衝突壁８００４にぶつかる。衝突壁８００４は、混合流れ８００６ａの流れの方向に実質的に垂直になるように配置されている。混合流れ８００６ａの衝突壁との衝突時点で、混合流れの一部８００６ｂは衝突壁８００４のせいで流れがなさざるを得ない実質的に９０度の旋回をナビゲートする。一般に、大粒子を備える混合流れ８００６ａの部分は衝突壁８００４での実質的に９０度の旋回をナビゲートすることはなく、使用者の口に向かう混合流れの部分８００６ｂと共に進み続けるのではなくそこに堆積することになる。流れは、使用者の口に向かって進み続けると、マウスピース８００２内で追加の旋回を更にナビゲートし、そして同じように相対的に大きい粒子は、それらが追加の旋回をナビゲートすることができないために、途中で混合流れの部分８００６ｂから脱落する。結果として、吸入される流れ８００６ｃが生成され、当該流れ中の蒸気又はエアロゾルは、相対的に大きい粒子の途中脱落で、粒子の大きさの観点からより均質の混合物となっている。一般に、より大きい粒子は気化又はエアロゾルの流れの中の汚染物質である傾向があるので、蒸気及びエアロゾルが装置８０００を通って８００６ａから８００６ｃへと通過してゆくことで、蒸気又はエアロゾルは使用者の口及び気道に達する前に汚染物質を取り除かれ易くなる。
【００８５】
[0130]発明についての以上の記述は、例示と説明を目的に提供されている。網羅的であろうとするつもりもなければ発明を開示されている厳密な形態に限定しようとするつもりもなく、以上の教示に鑑みて他の修正型及び変形型が実施可能であろう。実施形態は、発明の原理及びそれの適用を最適に解説し、それにより当業者が発明を様々な実施形態で及び企図される特定の使用に適応させた様々な修正型で最適に利用できるようにするために選定され記述された。付随の特許請求の範囲は、先行技術によって限定される場合を除いて、発明の他の代わりの実施形態を含むと解釈されるものとする。
【符号の説明】
【００８６】
１０００  模擬喫煙装置
１００２  近位端
１００４  遠位端
１００６  ハウジング
１００８  ハウジング
１０１０  開口部、流出口
１０１２  カートリッジ収容部分
１０１４  主要モジュール収容部分
２０００  手持ち式吸入可能蒸気又はエアロゾル生成装置
２１１０  マウスピース
２１２０  カートリッジ
２１３０  プランジャばね
２１４０  プランジャ
２１５０  気化又はエアロゾル化されるべき物質
２１６０  温度弁組立体
２１７０  熱伝導板
２１８０  貯留部ガスケット
２１９０  放物面形集光器反射器
２２００  レーザーエミッタ
２２１０  レーザー反射器
２２２０  レーザーハウジング
２２３０  コンピュータ処理ユニット（ＣＰＵ）
２２４０  バッテリ
２２５０  主ハウジング
２２６０  隔壁
２２７０  内部ハウジング
３０００  手持ち式吸入可能蒸気生成装置
３１００  物質貯留部
３１１０  マウスピース
３１２０  カートリッジ、液体貯留部
３１５０  気化又はエアロゾル化されるべき物質
３１６０  温度弁組立体
３１７０  熱伝導板
３１８０  貯留部ガスケット
３１９０  放物面形集光器反射器
３２００  レーザーエミッタ
３２１０  レーザー反射器
３２２０  レーザーハウジング
３２３０  コンピュータ処理ユニット（ＣＰＵ）
３２４０  バッテリ
３２５０  主ハウジング
３２６０  隔壁
３２７０  内部ハウジング
３２８０  液体貯留部マニホールド
３２９０  空気透過性膜
３３００  弾性圧力容器
４０００  装置
４１００  物質貯留部
４１２０  カートリッジ、液体貯留部
４１５０  気化又はエアロゾル化されるべき物質
４１６０  温度弁組立体
４１９０  空気透過性膜
４２７２  ポート
４２８０  貯留部マニホールド
４２９０  空気透過性膜
４４００  弾性圧力容器
５０００  手持ち式吸入可能蒸気又はエアロゾル生成装置
５１００  近位端
５１１０  マウピース
５１２０  カートリッジ、液体貯留部
５１５０  気化又はエアロゾル化されるべき物質
５１６０  温度弁組立体
５１７０  熱伝導板
５１８０  貯留部ガスケット
５１９０  放物面形集光器反射器
５２００  遠位端
５２００  レーザーエミッタ
５２１０  レーザー反射器
５２２０  レーザーハウジング
５２３０  コンピュータ処理ユニット（ＣＰＵ）
５２４０  バッテリ
５２５０  主ハウジング
５２６０  隔壁
５２７０  内部ハウジング
５２７２  ポート
５３００  物質貯留部
５５００  弾性圧力容器
６０００  手持ち式吸入可能蒸気又はエアロゾル生成装置、模擬喫煙装置
６１００  近位端
６１１０  マウスピース
６１２０  カートリッジ
６１２０  温度弁組立体
６１３０  プランジャばね
６１４０  プランジャ
６１５０  気化又はエアロゾル化されるべき物質
６１６０  温度弁組立体
６１７０  熱伝導板
６１８０  貯留部ガスケット
６１９０  放物面形集光器反射器
６２００  レーザーエミッタ
６２１０  レーザー反射器
６２２０  レーザーハウジング
６２３０  コンピュータ処理ユニット（ＣＰＵ）
６２４０  バッテリ
６２５０  主ハウジング
６２６０  隔壁
６２７０  内部ハウジング
７０００  装置
７１１０  マウスピース
７１２０  カートリッジ
７１３０  シャトルプラグばね
７１４０  シャトルプラグ
７１５０  気化又はエアロゾル化されるべき物質
７１６０  温度弁組立体
７３５０  開口部
７４０２、７４０４  液体の薄層
８０００  手持ち式吸入可能蒸気生成装置
８００２  マウスピース
８００４  衝撃壁
８００６ａ−８００６ｃ  蒸気及びエアロゾルの流れ
【図１Ａ】
2019534768.tif 000003
【図１Ｂ】
2019534768.tif 000004
【図１Ｃ】
2019534768.tif 000005
【図１Ｄ】
2019534768.tif 000006
【図２】
2019534768.tif 000007
【図３Ａ】
2019534768.tif 000008
【図３Ｂ】
2019534768.tif 000009
【図４Ａ】
2019534768.tif 000010
【図４Ｂ】
2019534768.tif 000011
【図５】
2019534768.tif 000012
【図６】
2019534768.tif 000013
【図７】
2019534768.tif 000014
【図８】
2019534768.tif 000015
【国際調査報告】
2019534768.tif 000016